(57)【要約】【課題】  ネットワーク管理者にかかるプロファイル作成業務の負担を低減することができるプロファイル発行装置を提供する。【解決手段】プロファイル発行装置（１００）は、ネットワークに接続するための接続情報であるプロファイル部品が格納されるプロファイル部品データベース（１１０）と、プロファイル部品データベース（１１０）から検索されたプロファイル部品にその際に指定された順番を設定してなるプロファイル部品パスを生成するプロファイル部品パス生成手段（１４０）と、生成されたプロファイル部品パスが格納されるプロファイル部品パスデータベース（１２０）と、指定されたプロファイル部品パスをプロファイル部品パスデータベース（１２０）から検索する検索手段（１５０）と、検索されたプロファイル部品パスを組み合わせてなるプロファイルを発行する発行手段（１６０）とを備える。【選択図】  図１
2006243801.tif 000002
【特許請求の範囲】
【請求項１】
ネットワークに接続するための接続情報であるプロファイル部品が格納されるプロファイル部品データベースと、
前記プロファイル部品データベースから検索されたプロファイル部品にその際に指定された順番を設定してなるプロファイル部品パスを生成するプロファイル部品パス生成手段と、
生成されたプロファイル部品パスが格納されるプロファイル部品パスデータベースと、
指定されたプロファイル部品パスを前記プロファイル部品パスデータベースから検索する検索手段と、
検索されたプロファイル部品パスを組み合わせてなるプロファイルを発行する発行手段と
を備えることを特徴とするプロファイル発行装置。
【請求項２】
ネットワークに接続するための接続情報でありかつユーザ情報が設定されていないプロファイル部品テンプレートを格納するプロファイル部品テンプレートデータベースと、
入力または指定されたユーザ情報を前記プロファイル部品テンプレートデータベースに格納されたプロファイル部品テンプレートに設定してなるプロファイル部品が格納されるプロファイル部品データベースと、
前記プロファイル部品データベースから検索されたプロファイル部品にその際に指定された順番を設定してなるプロファイル部品パスが格納されるプロファイル部品パスデータベースと、
指定されたプロファイル部品パスを前記プロファイル部品パスデータベースから検索する検索手段と、
検索されたプロファイル部品パスを組み合わせてなるプロファイルを発行する発行手段と
を備えることを特徴とするプロファイル発行装置。
【請求項３】
ネットワークに接続するための接続情報でありかつユーザ情報が設定されていないプロファイル部品テンプレートを格納するプロファイル部品テンプレートデータベースと、
前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、
指定されたプロファイル部品パステンプレートを前記プロファイル部品パステンプレートデータベースから検索する検索手段と、
検索されたプロファイル部品パステンプレートを組み合わせその際に入力または指定されたユーザ情報を設定してなるプロファイルを発行する発行手段と
を備えることを特徴とするプロファイル発行装置。
【請求項４】
ネットワークに接続するための接続情報でありかつユーザ情報が設定されていないプロファイル部品テンプレートを格納するプロファイル部品テンプレートデータベースと、
前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、
前記プロファイル部品パステンプレートデータベースから検索されたプロファイル部品パステンプレートを組み合わせてなるプロファイルテンプレートを生成しプロファイルテンプレートデータベースに格納するプロファイルテンプレート生成手段と、
指定されたプロファイルテンプレートを前記プロファイルテンプレートデータベースから検索しその際に入力または指定されたユーザ情報を設定してなるプロファイルを発行する発行手段と
を備えることを特徴とするプロファイル発行装置。
【請求項５】
前記プロファイル部品テンプレートデータベースから検索されたプロファイル部品テンプレートを表示する表示手段を備え、
前記プロファイル部品パステンプレート生成手段は、
表示後に指定されたプロファイル部品テンプレートと該プロファイル部品テンプレートに組み合わせ得るプロファイル部品テンプレートとに順番を設定してなるプロファイル部品パステンプレートを生成する
ことを特徴とする請求項３または４記載のプロファイル発行装置。
【請求項６】
プロファイル部品テンプレートに設定されたユーザ情報に対し、プロファイル発行後の編集を可能にする属性を設定する属性設定手段
を備えることを特徴とする請求項２ないし４のいずれかに記載のプロファイル発行装置。
【請求項７】
プロファイル部品テンプレートに設定されるユーザ情報となるプール情報が格納されるプール情報格納手段を備え、
前記プール情報格納手段からプール情報を検索し表示させ、
表示後に指定されたプール情報をユーザ情報としてプロファイル部品テンプレートに設定する
ことを特徴とする請求項２記載のプロファイル発行装置。
【請求項８】
プロファイル部品パステンプレートに設定されるユーザ情報となるプール情報が格納されるプール情報格納手段を備え、
プール情報格納手段からプール情報を検索し表示させ、
表示後に指定されたプール情報をユーザ情報としてプロファイル部品パステンプレートに設定してなるプロファイル部品パスを生成する
ことを特徴とする請求項３記載のプロファイル発行装置。
【請求項９】
プロファイルテンプレートに設定されるユーザ情報となるプール情報が格納されるプール情報格納手段を備え、
プール情報格納手段からプール情報を検索し表示させ、
表示後に指定されたプール情報をユーザ情報としてプロファイルテンプレートに設定してなるプロファイルを生成する
ことを特徴とする請求項４記載のプロファイル発行装置。
【請求項１０】
プロファイル部品テンプレートから生成されたプロファイル部品により接続されるネットワークと通信する通信手段と、
当該プロファイル部品による接続でネットワークに必要とされる接続情報を前記通信手段を介してネットワークに登録するプロファイル登録手段と
を備えることを特徴とする請求項２または７記載のプロファイル発行装置。
【請求項１１】
プロファイル部品パステンプレートから生成されたプロファイル部品パスに含まれるプロファイル部品により接続されるネットワークと通信する通信手段と、
当該プロファイル部品による接続でネットワークに必要とされる接続情報を前記通信手段を介してネットワークに登録するプロファイル登録手段
を備えることを特徴とする請求項３または８記載のプロファイル発行装置。
【請求項１２】
プロファイルテンプレートから生成されたプロファイルに含まれるプロファイル部品により接続されるネットワークと通信する通信手段と、
当該プロファイル部品による接続でネットワークに必要とされる接続情報を前記通信手段を介してネットワークに登録するプロファイル登録手段
を備えることを特徴とする請求項４または９記載のプロファイル発行装置。
【請求項１３】
プロファイル部品テンプレートに設定されるユーザ情報のユーザが利用権限をもつプロファイル部品テンプレートを表示させる表示手段を備え、
表示後に指定されたプロファイル部品テンプレートに当該ユーザ情報を設定してなるプロファイル部品を含むプロファイルを発行する
ことを特徴とする請求項２、７または１０記載のプロファイル発行装置。
【請求項１４】
プロファイル部品パステンプレートに設定されるユーザ情報のユーザが利用権限をもつプロファイル部品パステンプレートを表示させる表示手段を備え、
表示後に指定されたプロファイル部品パステンプレートに当該ユーザ情報を設定してなるプロファイル部品パスを含むプロファイルを発行する
ことを特徴とする請求項３、８または１１記載のプロファイル発行装置。
【請求項１５】
プロファイルテンプレートに設定されるユーザ情報のユーザが利用権限をもつプロファイルテンプレートを表示させる表示手段を備え、
表示後に指定されたプロファイルテンプレートに当該ユーザ情報を設定してなるプロファイルを発行する
ことを特徴とする請求項４、９または１２記載のプロファイル発行装置。
【請求項１６】
プロファイル部品テンプレートに設定されたユーザ情報を設定すべき他のプロファイル部品テンプレートに当該ユーザ情報を設定する
ことを特徴とする請求項１ないし１５のいずれかに記載のプロファイル発行装置。
【請求項１７】
プロファイルにおけるプロファイル部品同士またはプロファイル部品パス同士またはプロファイル部品とプロファイル部品パスとが整合しているか否かを検査する
ことを特徴とする請求項１ないし１６のいずれかに記載のプロファイル発行装置。
【請求項１８】
プロファイル部品に該プロファイル部品が更新されてもこれを一意に示すプロファイル部品識別子が含まれる
ことを特徴とする請求項１ないし１６のいずれかに記載のプロファイル発行装置。
【請求項１９】
プロファイル部品パスに該プロファイル部品パスが更新されてもこれを一意に示すプロファイル部品パス識別子が含まれる
ことを特徴とする請求項２ないし１８のいずれかに記載のプロファイル発行装置。
【請求項２０】
プロファイルに該プロファイルが更新されてもこれを一意に示すプロファイル識別子が含まれる
ことを特徴とする請求項３ないし１９のいずれかに記載のプロファイル発行装置。
【請求項２１】
プロファイル発行装置が、ネットワークに接続するための接続情報であるプロファイル部品をプロファイル部品データベースに格納し、
プロファイル発行装置が、前記プロファイル部品データベースから検索されたプロファイル部品にその際に指定された順番を設定してなるプロファイル部品パスを生成し、
プロファイル発行装置が、生成されたプロファイル部品パスをプロファイル部品パスデータベースに格納し、
プロファイル発行装置が、指定されたプロファイル部品パスを前記プロファイル部品パスデータベースから検索し、
プロファイル発行装置が、検索されたプロファイル部品パスを組み合わせてなるプロファイルを発行する
ことを特徴とするプロファイル発行方法。
【請求項２２】
プロファイル発行装置が、ネットワークに接続するための接続情報でありかつユーザ情報が設定されていないプロファイル部品テンプレートをプロファイル部品テンプレートデータベースに格納し、
プロファイル発行装置が、入力または指定されたユーザ情報を前記プロファイル部品テンプレートデータベースに格納されたプロファイル部品テンプレートに設定してなるプロファイル部品をプロファイル部品データベースに格納し、
プロファイル発行装置が、前記プロファイル部品データベースから検索されたプロファイル部品にその際に指定された順番を設定してなるプロファイル部品パスをプロファイル部品パスデータベースに格納し、
プロファイル発行装置が、指定されたプロファイル部品パスを前記プロファイル部品パスデータベースから検索し、
プロファイル発行装置が、検索されたプロファイル部品パスを組み合わせてなるプロファイルを発行する
ことを特徴とするプロファイル発行方法。
【請求項２３】
プロファイル発行装置が、ネットワークに接続するための接続情報でありかつユーザ情報が設定されていないプロファイル部品テンプレートをプロファイル部品テンプレートデータベースに格納し、
プロファイル発行装置が、前記プロファイル部品テンプレートデータベースから検索されたプロファイル部品テンプレートにその際に指定された順番を設定してなるプロファイル部品パステンプレートを生成しプロファイル部品パステンプレートデータベースに格納し、
プロファイル発行装置が、指定されたプロファイル部品パステンプレートを前記プロファイル部品パステンプレートデータベースから検索し、
プロファイル発行装置が、検索されたプロファイル部品パステンプレートを組み合わせその際に入力または指定されたユーザ情報を設定してなるプロファイルを発行する
ことを特徴とするプロファイル発行方法。
【請求項２４】
プロファイル発行装置が、ネットワークに接続するための接続情報でありかつユーザ情報が設定されていないプロファイル部品テンプレートをプロファイル部品テンプレートデータベースに格納し、
プロファイル発行装置が、前記プロファイル部品テンプレートデータベースから検索されたプロファイル部品テンプレートにその際に指定された順番を設定してなるプロファイル部品パステンプレートを生成しプロファイル部品パステンプレートデータベースに格納し、
プロファイル発行装置が、前記プロファイル部品パステンプレートデータベースから検索されたプロファイル部品パステンプレートを組み合わせてなるプロファイルテンプレートを生成しプロファイルテンプレートデータベースに格納し、
プロファイル発行装置が、指定されたプロファイルテンプレートを前記プロファイルテンプレートデータベースから検索しその際に入力または指定されたユーザ情報を設定してなるプロファイルを発行する
ことを特徴とするプロファイル発行方法。
【請求項２５】
ネットワークに接続するための接続情報であるプロファイル部品が格納されるプロファイル部品データベースと、
前記プロファイル部品データベースから検索されたプロファイル部品にその際に指定された順番を設定してなるプロファイル部品パスを生成するプロファイル部品パス生成手段と、
生成されたプロファイル部品パスが格納されるプロファイル部品パスデータベースと、
指定されたプロファイル部品パスを前記プロファイル部品パスデータベースから検索する検索手段と、
検索されたプロファイル部品パスを組み合わせてなるプロファイルを発行する発行手段と
を備えることを特徴とするプロファイル発行装置としてコンピュータを機能させるコンピュータプログラム。
【請求項２６】
ネットワークに接続するための接続情報でありかつユーザ情報が設定されていないプロファイル部品テンプレートを格納するプロファイル部品テンプレートデータベースと、
入力または指定されたユーザ情報を前記プロファイル部品テンプレートデータベースに格納されたプロファイル部品テンプレートに設定してなるプロファイル部品が格納されるプロファイル部品データベースと、
前記プロファイル部品データベースから検索されたプロファイル部品にその際に指定された順番を設定してなるプロファイル部品パスが格納されるプロファイル部品パスデータベースと、
指定されたプロファイル部品パスを前記プロファイル部品パスデータベースから検索する検索手段と、
検索されたプロファイル部品パスを組み合わせてなるプロファイルを発行する発行手段と
を備えることを特徴とするプロファイル発行装置としてコンピュータを機能させるコンピュータプログラム。
【請求項２７】
ネットワークに接続するための接続情報でありかつユーザ情報が設定されていないプロファイル部品テンプレートを格納するプロファイル部品テンプレートデータベースと、
前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、
指定されたプロファイル部品パステンプレートを前記プロファイル部品パステンプレートデータベースから検索する検索手段と、
検索されたプロファイル部品パステンプレートを組み合わせその際に入力または指定されたユーザ情報を設定してなるプロファイルを発行する発行手段と
を備えることを特徴とするプロファイル発行装置としてコンピュータを機能させるコンピュータプログラム。
【請求項２８】
ネットワークに接続するための接続情報でありかつユーザ情報が設定されていないプロファイル部品テンプレートを格納するプロファイル部品テンプレートデータベースと、
前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、
前記プロファイル部品パステンプレートデータベースから検索されたプロファイル部品パステンプレートを組み合わせてなるプロファイルテンプレートを生成しプロファイルテンプレートデータベースに格納するプロファイルテンプレート生成手段と、
指定されたプロファイルテンプレートを前記プロファイルテンプレートデータベースから検索しその際に入力または指定されたユーザ情報を設定してなるプロファイルを発行する発行手段と
を備えることを特徴とするプロファイル発行装置としてコンピュータを機能させるコンピュータプログラム。
【発明の詳細な説明】
【技術分野】
【０００１】
本発明は、ネットワークと接続するための接続情報からなるプロファイルを発行するプロファイル発行装置に関する。
【背景技術】
【０００２】
従来のプロファイル発行装置としては、各通信事業者が提供するホットスポットに対応するネットワークと接続される通信端末（無線デジタルカメラ）と、認証サーバーとを有するシステムにおいて、通信端末と認証サーバーの間で用いられる認証手順等の固有の通信情報をプロファイルとして通信事業者毎に管理して格納するプロファイルサーバが知られている（例えば、特許文献１参照。）。
【０００３】
このプロファイルには、ユーザＩＤやパスワード等の情報が含まれており、従来のプロファイルサーバは、通信事業者毎およびユーザ毎に管理しているプロファイルを通信端末に提供するため、通信端末を利用するユーザは、ネットワークに接続するとき、ユーザＩＤやパスワード等を通信端末に入力する手間を省略でき、提供されたプロファイルを用いてネットワークに接続するようになっている。また、特許文献１に示した無線デジタルカメラは、アクセスポイント、認証サーバという順序で２回のログオンを実施する必要があるため、プロファイルには、ログオン回数およびログオンの順序、ならびにログオン手順に対応した認証情報が含まれている。
【特許文献１】特開２００４−１２８８８６号公報（第１４段落目−第１９段落目、第２図）
【発明の開示】
【発明が解決しようとする課題】
【０００４】
しかしながら、近年、ホットスポット等に加入するユーザ数が増加しており、またホットスポットを実現させるためのネットワークの規模が大きくなってログオン回数も多いため、ネットワーク管理者は、ネットワークのログオンの回数に対応した多数の接続情報、および接続経路に係わる情報によって構成される複雑なプロファイルを作成する必要がある。これに伴い、ネットワーク管理者にかかるプロファイル作成業務の負担が重くなるという問題があった。
【０００５】
本発明は、従来の問題を解決するためになされたもので、ネットワーク管理者にとってプロファイル作成業務の負担を低減することができるプロファイル発行装置を提供することを目的とする。
【課題を解決するための手段】
【０００６】
請求項１の本発明は、ネットワークに接続するための接続情報であるプロファイル部品が格納されるプロファイル部品データベースと、前記プロファイル部品データベースから検索されたプロファイル部品にその際に指定された順番を設定してなるプロファイル部品パスを生成するプロファイル部品パス生成手段と、生成されたプロファイル部品パスが格納されるプロファイル部品パスデータベースと、指定されたプロファイル部品パスを前記プロファイル部品パスデータベースから検索する検索手段と、検索されたプロファイル部品パスを組み合わせてなるプロファイルを発行する発行手段とを備えることを特徴とするプロファイル発行装置をもって解決手段とする。
【０００７】
請求項１の本発明によれば、ネットワークに接続するための接続情報であるプロファイル部品が格納されるプロファイル部品データベースと、プロファイル部品データベースから検索されたプロファイル部品にその際に指定された順番を設定してなるプロファイル部品パスを生成するプロファイル部品パス生成手段と、生成されたプロファイル部品パスが格納されるプロファイル部品パスデータベースと、指定されたプロファイル部品パスをプロファイル部品パスデータベースから検索する検索手段と、検索されたプロファイル部品パスを組み合わせてなるプロファイルを発行する発行手段とを備えることで、プロファイル部品とその順番を指定すればプロファイル部品パスが生成され、プロファイル部品パスとその順番を指定すればプロファイルが発行されるので、接続情報に自ら順番を設定してプロファイルを生成する必要がなく、ネットワーク管理者にかかるプロファイル作成業務の負担を低減することができる。
【０００８】
請求項２の本発明は、ネットワークに接続するための接続情報でありかつユーザ情報が設定されていないプロファイル部品テンプレートを格納するプロファイル部品テンプレートデータベースと、入力または指定されたユーザ情報を前記プロファイル部品テンプレートデータベースに格納されたプロファイル部品テンプレートに設定してなるプロファイル部品が格納されるプロファイル部品データベースと、前記プロファイル部品データベースから検索されたプロファイル部品にその際に指定された順番を設定してなるプロファイル部品パスが格納されるプロファイル部品パスデータベースと、指定されたプロファイル部品パスを前記プロファイル部品パスデータベースから検索する検索手段と、検索されたプロファイル部品パスを組み合わせてなるプロファイルを発行する発行手段とを備えることを特徴とするプロファイル発行装置をもって解決手段とする。
【０００９】
請求項２の本発明によれば、ネットワークに接続するための接続情報でありかつユーザ情報が設定されていないプロファイル部品テンプレートを格納するプロファイル部品テンプレートデータベースと、入力または指定されたユーザ情報をプロファイル部品テンプレートデータベースに格納されたプロファイル部品テンプレートに設定してなるプロファイル部品が格納されるプロファイル部品データベースと、プロファイル部品データベースから検索されたプロファイル部品にその際に指定された順番を設定してなるプロファイル部品パスが格納されるプロファイル部品パスデータベースと、指定されたプロファイル部品パスをプロファイル部品パスデータベースから検索する検索手段と、検索されたプロファイル部品パスを組み合わせてなるプロファイルを発行する発行手段とを備えることで、ユーザ情報を入力または指定してプロファイル部品とその順番を指定すればプロファイル部品パスが生成され、プロファイル部品パスとその順番を指定すればプロファイルが発行されるので、接続情報に自ら順番を設定してプロファイルを生成する必要がなく、ネットワーク管理者にかかるプロファイル作成業務の負担を低減することができる。
【００１０】
請求項３の本発明は、ネットワークに接続するための接続情報でありかつユーザ情報が設定されていないプロファイル部品テンプレートを格納するプロファイル部品テンプレートデータベースと、前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、指定されたプロファイル部品パステンプレートを前記プロファイル部品パステンプレートデータベースから検索する検索手段と、検索されたプロファイル部品パステンプレートを組み合わせその際に入力または指定されたユーザ情報を設定してなるプロファイルを発行する発行手段とを備えることを特徴とするプロファイル発行装置をもって解決手段とする。
【００１１】
請求項３の本発明によれば、ネットワークに接続するための接続情報でありかつユーザ情報が設定されていないプロファイル部品テンプレートを格納するプロファイル部品テンプレートデータベースと、プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、指定されたプロファイル部品パステンプレートをプロファイル部品パステンプレートデータベースから検索する検索手段と、検索されたプロファイル部品パステンプレートを組み合わせその際に入力または指定されたユーザ情報を設定してなるプロファイルを発行する発行手段とを備えることで、プロファイル部品テンプレートとその順番を指定すればプロファイル部品パステンプレートが生成され、プロファイル部品パステンプレートとその順番を指定しユーザ情報を入力または指定すればプロファイルが発行されるので、接続情報に自ら順番を設定してプロファイルを生成する必要がなく、ネットワーク管理者にかかるプロファイル作成業務の負担を低減することができる。
【００１２】
請求項４の本発明は、ネットワークに接続するための接続情報でありかつユーザ情報が設定されていないプロファイル部品テンプレートを格納するプロファイル部品テンプレートデータベースと、前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、前記プロファイル部品パステンプレートデータベースから検索されたプロファイル部品パステンプレートを組み合わせてなるプロファイルテンプレートを生成しプロファイルテンプレートデータベースに格納するプロファイルテンプレート生成手段と、指定されたプロファイルテンプレートを前記プロファイルテンプレートデータベースから検索しその際に入力または指定されたユーザ情報を設定してなるプロファイルを発行する発行手段とを備えることを特徴とするプロファイル発行装置をもって解決手段とする。
【００１３】
請求項４の本発明によれば、ネットワークに接続するための接続情報でありかつユーザ情報が設定されていないプロファイル部品テンプレートを格納するプロファイル部品テンプレートデータベースと、プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、プロファイル部品パステンプレートデータベースから検索されたプロファイル部品パステンプレートを組み合わせてなるプロファイルテンプレートを生成しプロファイルテンプレートデータベースに格納するプロファイルテンプレート生成手段と、指定されたプロファイルテンプレートをプロファイルテンプレートデータベースから検索しその際に入力または指定されたユーザ情報を設定してなるプロファイルを発行する発行手段とを備えることで、プロファイル部品テンプレートとその順番を指定すればプロファイル部品パステンプレートが生成され、プロファイル部品パステンプレートとその順番を指定すればプロファイルテンプレートが生成され、プロファイルテンプレートを指定しユーザ情報を入力または指定すればプロファイルが発行されるので、接続情報に自ら順番を設定してプロファイルを生成する必要がなく、ネットワーク管理者にかかるプロファイル作成業務の負担を低減することができる。
【００１４】
請求項５の本発明は、前記プロファイル部品テンプレートデータベースから検索されたプロファイル部品テンプレートを表示する表示手段を備え、前記プロファイル部品パステンプレート生成手段は、表示後に指定されたプロファイル部品テンプレートと該プロファイル部品テンプレートに組み合わせ得るプロファイル部品テンプレートとに順番を設定してなるプロファイル部品パステンプレートを生成することを特徴とする請求項３または４記載のプロファイル発行装置をもって解決手段とする。
【００１５】
請求項５の本発明によれば、プロファイル部品テンプレートデータベースから検索されたプロファイル部品テンプレートを表示する表示手段を備え、プロファイル部品パステンプレート生成手段は、表示後に指定されたプロファイル部品テンプレートと該プロファイル部品テンプレートに組み合わせ得るプロファイル部品テンプレートとに順番を設定してなるプロファイル部品パステンプレートを生成することで、指定したプロファイル部品テンプレートに並べ得るプロファイル部品テンプレートを指定する必要がなく、ネットワーク管理者にかかるプロファイル作成業務の負担を低減することができる。
【００１６】
請求項６の本発明は、プロファイル部品テンプレートに設定されたユーザ情報に対し、プロファイル発行後の編集を可能にする属性を設定する属性設定手段を備えることを特徴とする請求項２ないし４のいずれかに記載のプロファイル発行装置をもって解決手段とする。
【００１７】
請求項６の本発明によれば、プロファイル部品テンプレートに設定されたユーザ情報に対し、プロファイル発行後の編集を可能にする属性を設定する属性設定手段を備えることで、ネットワーク管理者により暫定的に設定されたユーザ情報であるパスワード等を含むプロファイルの発行後に当該パスワード等をネットワーク管理者に知られていないパスワード等に編集することができ、よって、ユーザにとって第三者に知られては不都合な情報を機密にすることができ、ネットワーク管理者がユーザに逐一パスワードを問い合わせ、得たパスワード等をネットワーク管理者が逐一設定する必要がなくなる。
【００１８】
請求項７の本発明は、プロファイル部品テンプレートに設定されるユーザ情報となるプール情報が格納されるプール情報格納手段を備え、前記プール情報格納手段からプール情報を検索し表示させ、表示後に指定されたプール情報をユーザ情報としてプロファイル部品テンプレートに設定することを特徴とする請求項２記載のプロファイル発行装置をもって解決手段とする。
【００１９】
請求項７の本発明によれば、プロファイル部品テンプレートに設定されるユーザ情報となるプール情報が格納されるプール情報格納手段を備え、プール情報格納手段からプール情報を検索し表示させ、表示後に指定されたプール情報をユーザ情報としてプロファイル部品テンプレートに設定することで、表示されたプール情報を指定すれば当該ユーザ情報がプロファイル部品テンプレートに設定されるので、ネットワーク管理者がプロファイル部品テンプレートに設定されるユーザ情報の管理を行わなくてもよくなり、ネットワーク管理者にかかるプロファイル作成業務の負担を低減することができる。
【００２０】
請求項８の本発明は、プロファイル部品パステンプレートに設定されるユーザ情報となるプール情報が格納されるプール情報格納手段を備え、プール情報格納手段からプール情報を検索し表示させ、表示後に指定されたプール情報をユーザ情報としてプロファイル部品パステンプレートに設定してなるプロファイル部品パスを生成することを特徴とする請求項３記載のプロファイル発行装置をもって解決手段とする。
【００２１】
請求項８の本発明によれば、プロファイル部品パステンプレートに設定されるユーザ情報となるプール情報が格納されるプール情報格納手段を備え、プール情報格納手段からプール情報を検索し表示させ、表示後に指定されたプール情報をユーザ情報としてプロファイル部品パステンプレートに設定してなるプロファイル部品パスを生成することで、表示されたプール情報を指定すれば当該ユーザ情報がプロファイル部品パステンプレートに設定されるので、ネットワーク管理者がプロファイル部品パステンプレートに設定されるユーザ情報の管理を行わなくてもよくなり、ネットワーク管理者にかかるプロファイル作成業務の負担を低減することができる。
【００２２】
請求項９の本発明は、プロファイルテンプレートに設定されるユーザ情報となるプール情報が格納されるプール情報格納手段を備え、プール情報格納手段からプール情報を検索し表示させ、表示後に指定されたプール情報をユーザ情報としてプロファイルテンプレートに設定してなるプロファイルを生成することを特徴とする請求項４記載のプロファイル発行装置をもって解決手段とする。
【００２３】
請求項９の本発明によれば、プロファイルテンプレートに設定されるユーザ情報となるプール情報が格納されるプール情報格納手段を備え、プール情報格納手段からプール情報を検索し表示させ、表示後に指定されたプール情報をユーザ情報としてプロファイルテンプレートに設定してなるプロファイルを生成することで、ネットワーク管理者がプロファイルテンプレートに設定されるユーザ情報の管理を行わなくてもよくなり、ネットワーク管理者にかかるプロファイル作成業務の負担を低減することができる。
【００２４】
請求項１０の本発明は、プロファイル部品テンプレートから生成されたプロファイル部品により接続されるネットワークと通信する通信手段と、当該プロファイル部品による接続でネットワークに必要とされる接続情報を前記通信手段を介してネットワークに登録するプロファイル登録手段とを備えることを特徴とする請求項２または７記載のプロファイル発行装置をもって解決手段とする。
【００２５】
請求項１０の本発明によれば、プロファイル部品テンプレートから生成されたプロファイル部品により接続されるネットワークと通信する通信手段と、当該プロファイル部品による接続でネットワークに必要とされる接続情報を前記通信手段を介してネットワークに登録するプロファイル登録手段とを備えることで、ネットワークが必要とする接続情報が通信手段を介してネットワークに登録されるので、ネットワーク管理者が接続情報をネットワークに登録する手間が省略でき、ネットワーク管理者にかかるプロファイル作成業務の負担を低減することができる。
【００２６】
請求項１１の本発明は、プロファイル部品パステンプレートから生成されたプロファイル部品パスに含まれるプロファイル部品により接続されるネットワークと通信する通信手段と、当該プロファイル部品による接続でネットワークに必要とされる接続情報を前記通信手段を介してネットワークに登録するプロファイル登録手段を備えることを特徴とする請求項３または８記載のプロファイル発行装置をもって解決手段とする。
【００２７】
請求項１１の本発明によれば、プロファイル部品パステンプレートから生成されたプロファイル部品パスに含まれるプロファイル部品により接続されるネットワークと通信する通信手段と、当該プロファイル部品による接続でネットワークに必要とされる接続情報を前記通信手段を介してネットワークに登録するプロファイル登録手段を備えることで、ネットワークが必要とする接続情報が通信手段を介してネットワークに登録されるので、ネットワーク管理者が接続情報をネットワークに登録する手間が省略でき、ネットワーク管理者にかかるプロファイル作成業務の負担を低減することができる。
【００２８】
請求項１２の本発明は、プロファイルテンプレートから生成されたプロファイルに含まれるプロファイル部品により接続されるネットワークと通信する通信手段と、当該プロファイル部品による接続でネットワークに必要とされる接続情報を前記通信手段を介してネットワークに登録するプロファイル登録手段を備えることを特徴とする請求項４または９記載のプロファイル発行装置をもって解決手段とする。
【００２９】
請求項１２の本発明によれば、プロファイルテンプレートから生成されたプロファイルに含まれるプロファイル部品により接続されるネットワークと通信する通信手段と、当該プロファイル部品による接続でネットワークに必要とされる接続情報を前記通信手段を介してネットワークに登録するプロファイル登録手段を備えることで、ネットワークが必要とする接続情報が通信手段を介してネットワークに登録されるので、ネットワーク管理者が接続情報をネットワークに登録する手間が省略でき、ネットワーク管理者にかかるプロファイル作成業務の負担を低減することができる。
【００３０】
請求項１３の本発明は、プロファイル部品テンプレートに設定されるユーザ情報のユーザが利用権限をもつプロファイル部品テンプレートを表示させる表示手段を備え、表示後に指定されたプロファイル部品テンプレートに当該ユーザ情報を設定してなるプロファイル部品を含むプロファイルを発行することを特徴とする請求項２、７または１０記載のプロファイル発行装置をもって解決手段とする。
【００３１】
請求項１３の本発明によれば、プロファイル部品テンプレートに設定されるユーザ情報のユーザが利用権限をもつプロファイル部品テンプレートを表示させる表示手段を備え、表示後に指定されたプロファイル部品テンプレートに当該ユーザ情報を設定してなるプロファイル部品を含むプロファイルを発行することで、そのユーザが利用権限をもたないプロファイル部品テンプレートに当該ユーザ情報を設定してなるプロファイル部品を含むプロファイルが発行されるのを防止することができる。
【００３２】
請求項１４の本発明は、プロファイル部品パステンプレートに設定されるユーザ情報のユーザが利用権限をもつプロファイル部品パステンプレートを表示させる表示手段を備え、表示後に指定されたプロファイル部品パステンプレートに当該ユーザ情報を設定してなるプロファイル部品パスを含むプロファイルを発行することを特徴とする請求項３、８または１１記載のプロファイル発行装置をもって解決手段とする。
【００３３】
請求項１４の本発明によれば、プロファイル部品パステンプレートに設定されるユーザ情報のユーザが利用権限をもつプロファイル部品パステンプレートを表示させる表示手段を備え、表示後に指定されたプロファイル部品パステンプレートに当該ユーザ情報を設定してなるプロファイル部品パスを含むプロファイルを発行することで、そのユーザが利用権限をもたないプロファイル部品パステンプレートに当該ユーザ情報を設定してなるプロファイル部品パスを含むプロファイルが発行されるのを防止することができる。
【００３４】
請求項１５の本発明は、プロファイルテンプレートに設定されるユーザ情報のユーザが利用権限をもつプロファイルテンプレートを表示させる表示手段を備え、表示後に指定されたプロファイルテンプレートに当該ユーザ情報を設定してなるプロファイルを発行することを特徴とする請求項４、９または１２記載のプロファイル発行装置をもって解決手段とする。
【００３５】
請求項１５の本発明によれば、プロファイルテンプレートに設定されるユーザ情報のユーザが利用権限をもつプロファイルテンプレートを表示させる表示手段を備え、表示後に指定されたプロファイルテンプレートに当該ユーザ情報を設定してなるプロファイルを発行することで、そのユーザが利用権限をもたないプロファイルテンプレートに当該ユーザ情報を設定してなるプロファイルが発行されるのを防止することができる。
【００３６】
請求項１６の本発明は、プロファイル部品テンプレートに設定されたユーザ情報を設定すべき他のプロファイル部品テンプレートに当該ユーザ情報を設定することを特徴とする請求項１ないし１５のいずれかに記載のプロファイル発行装置をもって解決手段とする。  請求項１６の本発明によれば、プロファイル部品テンプレートに設定されたユーザ情報を設定すべき他のプロファイル部品テンプレートに当該ユーザ情報を設定することで、設定されるべきでないユーザ情報が設定されてなるプロファイル部品を含むプロファイルが発行されるのを防止することができる。
【００３７】
請求項１７の本発明は、プロファイルにおけるプロファイル部品同士またはプロファイル部品パス同士またはプロファイル部品とプロファイル部品パスとが整合しているか否かを検査することを特徴とする請求項１ないし１６のいずれかに記載のプロファイル発行装置をもって解決手段とする。
【００３８】
請求項１７の本発明によれば、プロファイルにおけるプロファイル部品同士またはプロファイル部品パス同士またはプロファイル部品とプロファイル部品パスとが整合しているか否かを検査することで、整合していないプロファイル部品同士またはプロファイル部品パス同士またはプロファイル部品とプロファイル部品パスとを含むプロファイルが発行されるのを防止することができる。
【００３９】
請求項１８の本発明は、プロファイル部品に該プロファイル部品が更新されてもこれを一意に示すプロファイル部品識別子が含まれることを特徴とする請求項１ないし１６のいずれかに記載のプロファイル発行装置をもって解決手段とする。
【００４０】
請求項１８の本発明によれば、プロファイル部品に該プロファイル部品が更新されてもこれを一意に示すプロファイル部品識別子が含まれることで、このプロファイル部品を含むプロファイルが発行され編集されたあとになってから、編集前のプロファイル部品を更新したプロファイルが新たに発行されたとしても、当該発行されたプロファイルのプロファイル部品に含まれるプロファイル部品識別子と同じプロファイル部品識別子を含むプロファイル部品の編集内容を編集前のプロファイル部品に反映させればよいので、編集前のプロファイル部品に再度編集を行う必要がなくなる。
【００４１】
請求項１９の本発明は、プロファイル部品パスに該プロファイル部品パスが更新されてもこれを一意に示すプロファイル部品パス識別子が含まれることを特徴とする請求項２ないし１８のいずれかに記載のプロファイル発行装置をもって解決手段とする。
【００４２】
請求項１９の本発明によれば、プロファイル部品パスに該プロファイル部品パスが更新されてもこれを一意に示すプロファイル部品パス識別子が含まれることで、このプロファイル部品パスを含むプロファイルが発行され編集されたあとになってから、編集前のプロファイル部品パスを更新したプロファイルが新たに発行されたとしても、当該発行されたプロファイルのプロファイル部品パスに含まれるプロファイル部品パス識別子と同じプロファイル部品パス識別子を含むプロファイル部品パスの編集内容を編集前のプロファイル部品パスに反映させればよいので、編集前のプロファイル部品パスに再度編集を行う必要がなくなる。
【００４３】
請求項２０の本発明は、プロファイルに該プロファイルが更新されてもこれを一意に示すプロファイル識別子が含まれることを特徴とする請求項３ないし１９のいずれかに記載のプロファイル発行装置をもって解決手段とする。
【００４４】
請求項２０の本発明によれば、プロファイルに該プロファイルが更新されてもこれを一意に示すプロファイル識別子が含まれることで、このプロファイルが発行され編集されたあとになってから、編集前のプロファイルが更新され新たに発行されたとしても、当該発行されたプロファイルに含まれるプロファイル識別子と同じプロファイル識別子を含むプロファイルの編集内容を編集前のプロファイルに反映させればよいので、編集前のプロファイルに再度編集を行う必要がなくなる。
【００４５】
請求項２１の本発明は、プロファイル発行装置が、ネットワークに接続するための接続情報であるプロファイル部品をプロファイル部品データベースに格納し、プロファイル発行装置が、前記プロファイル部品データベースから検索されたプロファイル部品にその際に指定された順番を設定してなるプロファイル部品パスを生成し、プロファイル発行装置が、生成されたプロファイル部品パスをプロファイル部品パスデータベースに格納し、プロファイル発行装置が、指定されたプロファイル部品パスを前記プロファイル部品パスデータベースから検索し、プロファイル発行装置が、検索されたプロファイル部品パスを組み合わせてなるプロファイルを発行することを特徴とするプロファイル発行方法をもって解決手段とする。
【００４６】
請求項２１の本発明によれば、プロファイル発行装置が、ネットワークに接続するための接続情報であるプロファイル部品をプロファイル部品データベースに格納し、プロファイル発行装置が、前記プロファイル部品データベースから検索されたプロファイル部品にその際に指定された順番を設定してなるプロファイル部品パスを生成し、プロファイル発行装置が、生成されたプロファイル部品パスをプロファイル部品パスデータベースに格納し、プロファイル発行装置が、指定されたプロファイル部品パスを前記プロファイル部品パスデータベースから検索し、プロファイル発行装置が、検索されたプロファイル部品パスを組み合わせてなるプロファイルを発行することで、プロファイル部品とその順番を指定すればプロファイル部品パスが生成され、プロファイル部品パスとその順番を指定すればプロファイルが発行されるので、接続情報に自ら順番を設定してプロファイルを生成する必要がなく、ネットワーク管理者にかかるプロファイル作成業務の負担を低減することができる。
【００４７】
請求項２２の本発明は、プロファイル発行装置が、ネットワークに接続するための接続情報でありかつユーザ情報が設定されていないプロファイル部品テンプレートをプロファイル部品テンプレートデータベースに格納し、プロファイル発行装置が、入力または指定されたユーザ情報を前記プロファイル部品テンプレートデータベースに格納されたプロファイル部品テンプレートに設定してなるプロファイル部品をプロファイル部品データベースに格納し、プロファイル発行装置が、前記プロファイル部品データベースから検索されたプロファイル部品にその際に指定された順番を設定してなるプロファイル部品パスをプロファイル部品パスデータベースに格納し、プロファイル発行装置が、指定されたプロファイル部品パスを前記プロファイル部品パスデータベースから検索し、プロファイル発行装置が、検索されたプロファイル部品パスを組み合わせてなるプロファイルを発行することを特徴とするプロファイル発行方法をもって解決手段とする。
【００４８】
請求項２２の本発明によれば、プロファイル発行装置が、ネットワークに接続するための接続情報でありかつユーザ情報が設定されていないプロファイル部品テンプレートをプロファイル部品テンプレートデータベースに格納し、プロファイル発行装置が、入力または指定されたユーザ情報を前記プロファイル部品テンプレートデータベースに格納されたプロファイル部品テンプレートに設定してなるプロファイル部品をプロファイル部品データベースに格納し、プロファイル発行装置が、前記プロファイル部品データベースから検索されたプロファイル部品にその際に指定された順番を設定してなるプロファイル部品パスをプロファイル部品パスデータベースに格納し、プロファイル発行装置が、指定されたプロファイル部品パスを前記プロファイル部品パスデータベースから検索し、プロファイル発行装置が、検索されたプロファイル部品パスを組み合わせてなるプロファイルを発行することで、ユーザ情報を入力または指定してプロファイル部品とその順番を指定すればプロファイル部品パスが生成され、プロファイル部品パスとその順番を指定すればプロファイルが発行されるので、接続情報に自ら順番を設定してプロファイルを生成する必要がなく、ネットワーク管理者にかかるプロファイル作成業務の負担を低減することができる。
【００４９】
請求項２３の本発明は、プロファイル発行装置が、ネットワークに接続するための接続情報でありかつユーザ情報が設定されていないプロファイル部品テンプレートをプロファイル部品テンプレートデータベースに格納し、プロファイル発行装置が、前記プロファイル部品テンプレートデータベースから検索されたプロファイル部品テンプレートにその際に指定された順番を設定してなるプロファイル部品パステンプレートを生成しプロファイル部品パステンプレートデータベースに格納し、プロファイル発行装置が、指定されたプロファイル部品パステンプレートを前記プロファイル部品パステンプレートデータベースから検索し、プロファイル発行装置が、検索されたプロファイル部品パステンプレートを組み合わせその際に入力または指定されたユーザ情報を設定してなるプロファイルを発行することを特徴とするプロファイル発行方法をもって解決手段とする。
【００５０】
請求項２３の本発明によれば、プロファイル発行装置が、ネットワークに接続するための接続情報でありかつユーザ情報が設定されていないプロファイル部品テンプレートをプロファイル部品テンプレートデータベースに格納し、プロファイル発行装置が、プロファイル部品テンプレートデータベースから検索されたプロファイル部品テンプレートにその際に指定された順番を設定してなるプロファイル部品パステンプレートを生成しプロファイル部品パステンプレートデータベースに格納し、プロファイル発行装置が、指定されたプロファイル部品パステンプレートをプロファイル部品パステンプレートデータベースから検索し、プロファイル発行装置が、検索されたプロファイル部品パステンプレートを組み合わせその際に入力または指定されたユーザ情報を設定してなるプロファイルを発行することで、プロファイル部品テンプレートとその順番を指定すればプロファイル部品パステンプレートが生成され、プロファイル部品パステンプレートとその順番を指定しユーザ情報を入力または指定すればプロファイルが発行されるので、接続情報に自ら順番を設定してプロファイルを生成する必要がなく、ネットワーク管理者にかかるプロファイル作成業務の負担を低減することができる。
【００５１】
請求項２４の本発明は、プロファイル発行装置が、ネットワークに接続するための接続情報でありかつユーザ情報が設定されていないプロファイル部品テンプレートをプロファイル部品テンプレートデータベースに格納し、プロファイル発行装置が、前記プロファイル部品テンプレートデータベースから検索されたプロファイル部品テンプレートにその際に指定された順番を設定してなるプロファイル部品パステンプレートを生成しプロファイル部品パステンプレートデータベースに格納し、プロファイル発行装置が、前記プロファイル部品パステンプレートデータベースから検索されたプロファイル部品パステンプレートを組み合わせてなるプロファイルテンプレートを生成しプロファイルテンプレートデータベースに格納し、プロファイル発行装置が、指定されたプロファイルテンプレートを前記プロファイルテンプレートデータベースから検索しその際に入力または指定されたユーザ情報を設定してなるプロファイルを発行することを特徴とするプロファイル発行方法をもって解決手段とする。
【００５２】
請求項２４の本発明によれば、プロファイル発行装置が、ネットワークに接続するための接続情報でありかつユーザ情報が設定されていないプロファイル部品テンプレートをプロファイル部品テンプレートデータベースに格納し、プロファイル発行装置が、プロファイル部品テンプレートデータベースから検索されたプロファイル部品テンプレートにその際に指定された順番を設定してなるプロファイル部品パステンプレートを生成しプロファイル部品パステンプレートデータベースに格納し、プロファイル発行装置が、プロファイル部品パステンプレートデータベースから検索されたプロファイル部品パステンプレートを組み合わせてなるプロファイルテンプレートを生成しプロファイルテンプレートデータベースに格納し、プロファイル発行装置が、指定されたプロファイルテンプレートをプロファイルテンプレートデータベースから検索しその際に入力または指定されたユーザ情報を設定してなるプロファイルを発行することで、プロファイル部品テンプレートとその順番を指定すればプロファイル部品パステンプレートが生成され、プロファイル部品パステンプレートとその順番を指定すればプロファイルテンプレートが生成され、プロファイルテンプレートを指定しユーザ情報を入力または指定すればプロファイルが発行されるので、接続情報に自ら順番を設定してプロファイルを生成する必要がなく、ネットワーク管理者にかかるプロファイル作成業務の負担を低減することができる。
【００５３】
請求項２５の本発明は、ネットワークに接続するための接続情報であるプロファイル部品が格納されるプロファイル部品データベースと、前記プロファイル部品データベースから検索されたプロファイル部品にその際に指定された順番を設定してなるプロファイル部品パスを生成するプロファイル部品パス生成手段と、生成されたプロファイル部品パスが格納されるプロファイル部品パスデータベースと、指定されたプロファイル部品パスを前記プロファイル部品パスデータベースから検索する検索手段と、検索されたプロファイル部品パスを組み合わせてなるプロファイルを発行する発行手段とを備えることを特徴とするプロファイル発行装置としてコンピュータを機能させるコンピュータプログラムをもって解決手段とする。
【００５４】
請求項２５の本発明によれば、ネットワークに接続するための接続情報であるプロファイル部品が格納されるプロファイル部品データベースと、プロファイル部品データベースから検索されたプロファイル部品にその際に指定された順番を設定してなるプロファイル部品パスを生成するプロファイル部品パス生成手段と、生成されたプロファイル部品パスが格納されるプロファイル部品パスデータベースと、指定されたプロファイル部品パスをプロファイル部品パスデータベースから検索する検索手段と、検索されたプロファイル部品パスを組み合わせてなるプロファイルを発行する発行手段とを備えることを特徴とするプロファイル発行装置としてコンピュータを機能させるコンピュータプログラムを流通可能にする。
【００５５】
請求項２６の本発明は、ネットワークに接続するための接続情報でありかつユーザ情報が設定されていないプロファイル部品テンプレートを格納するプロファイル部品テンプレートデータベースと、入力または指定されたユーザ情報を前記プロファイル部品テンプレートデータベースに格納されたプロファイル部品テンプレートに設定してなるプロファイル部品が格納されるプロファイル部品データベースと、前記プロファイル部品データベースから検索されたプロファイル部品にその際に指定された順番を設定してなるプロファイル部品パスが格納されるプロファイル部品パスデータベースと、指定されたプロファイル部品パスを前記プロファイル部品パスデータベースから検索する検索手段と、検索されたプロファイル部品パスを組み合わせてなるプロファイルを発行する発行手段とを備えることを特徴とするプロファイル発行装置としてコンピュータを機能させるコンピュータプログラムをもって解決手段とする。
【００５６】
請求項２６の本発明によれば、ネットワークに接続するための接続情報でありかつユーザ情報が設定されていないプロファイル部品テンプレートを格納するプロファイル部品テンプレートデータベースと、入力または指定されたユーザ情報をプロファイル部品テンプレートデータベースに格納されたプロファイル部品テンプレートに設定してなるプロファイル部品が格納されるプロファイル部品データベースと、プロファイル部品データベースから検索されたプロファイル部品にその際に指定された順番を設定してなるプロファイル部品パスが格納されるプロファイル部品パスデータベースと、指定されたプロファイル部品パスをプロファイル部品パスデータベースから検索する検索手段と、検索されたプロファイル部品パスを組み合わせてなるプロファイルを発行する発行手段とを備えることを特徴とするプロファイル発行装置としてコンピュータを機能させるコンピュータプログラムを流通可能にする。
【００５７】
請求項２７の本発明は、ネットワークに接続するための接続情報でありかつユーザ情報が設定されていないプロファイル部品テンプレートを格納するプロファイル部品テンプレートデータベースと、前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、指定されたプロファイル部品パステンプレートを前記プロファイル部品パステンプレートデータベースから検索する検索手段と、検索されたプロファイル部品パステンプレートを組み合わせその際に入力または指定されたユーザ情報を設定してなるプロファイルを発行する発行手段とを備えることを特徴とするプロファイル発行装置としてコンピュータを機能させるコンピュータプログラムをもって解決手段とする。
【００５８】
請求項２７の本発明によれば、ネットワークに接続するための接続情報でありかつユーザ情報が設定されていないプロファイル部品テンプレートを格納するプロファイル部品テンプレートデータベースと、プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、指定されたプロファイル部品パステンプレートをプロファイル部品パステンプレートデータベースから検索する検索手段と、検索されたプロファイル部品パステンプレートを組み合わせその際に入力または指定されたユーザ情報を設定してなるプロファイルを発行する発行手段とを備えることを特徴とするプロファイル発行装置としてコンピュータを機能させるコンピュータプログラムを流通可能にする。
【００５９】
請求項２８の本発明は、ネットワークに接続するための接続情報でありかつユーザ情報が設定されていないプロファイル部品テンプレートを格納するプロファイル部品テンプレートデータベースと、前記プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、前記プロファイル部品パステンプレートデータベースから検索されたプロファイル部品パステンプレートを組み合わせてなるプロファイルテンプレートを生成しプロファイルテンプレートデータベースに格納するプロファイルテンプレート生成手段と、指定されたプロファイルテンプレートを前記プロファイルテンプレートデータベースから検索しその際に入力または指定されたユーザ情報を設定してなるプロファイルを発行する発行手段とを備えることを特徴とするプロファイル発行装置としてコンピュータを機能させるコンピュータプログラムをもって解決手段とする。
【００６０】
請求項２８の本発明によれば、ネットワークに接続するための接続情報でありかつユーザ情報が設定されていないプロファイル部品テンプレートを格納するプロファイル部品テンプレートデータベースと、プロファイル部品テンプレートデータベースから検索されたプロファイル部品テンプレートにその際に指定された順番を設定してなるプロファイル部品パステンプレートを生成しプロファイル部品パステンプレートデータベースに格納するプロファイル部品パステンプレート生成手段と、プロファイル部品パステンプレートデータベースから検索されたプロファイル部品パステンプレートを組み合わせてなるプロファイルテンプレートを生成しプロファイルテンプレートデータベースに格納するプロファイルテンプレート生成手段と、指定されたプロファイルテンプレートをプロファイルテンプレートデータベースから検索しその際に入力または指定されたユーザ情報を設定してなるプロファイルを発行する発行手段とを備えることを特徴とするプロファイル発行装置としてコンピュータを機能させるコンピュータプログラムを流通可能にする。
【発明の効果】
【００６１】
以上のように本発明は、ネットワーク管理者にかかるプロファイル作成業務の負担を低減することができるプロファイル発行装置を提供することができるものである。
【発明を実施するための最良の形態】
【００６２】
以下、図面を参照して本発明の実施の形態について詳細に説明する。
【００６３】
（本発明の第１の実施の形態）
図１は、本発明の第１の実施の形態に係るプロファイル発行装置の装置構成図である。図１（ａ）に示すように、プロファイル発行装置１００は、プロファイル部品データベース１１０、プロファイル部品パスデータベース１２０、プロファイルデータベース１３０、プロファイル操作部１０１、およびデータベース管理部１５０によって構成される。また、プロファイル操作部１０１は、プロファイル部品パス生成手段１４０および発行手段１６０を有している。
【００６４】
プロファイル発行装置１００は、図１（ｂ）に示すように、ＣＰＵ（Central Processing Unit）、メモリ、ハードディスク、キーボード等の入力器、およびディスプレイ等を有しており、上記各機能は、これらのハードウェアで実現される。
【００６５】
なお、プロファイル発行装置１００を構成するプロファイル部品データベース１１０、プロファイル部品パスデータベース１２０、プロファイルデータベース１３０、プロファイル操作部１０１、およびデータベース管理部１５０等は、ＣＰＵによって処理されるプログラムのモジュールを利用して実現されてもよい。
【００６６】
ここで、本発明の実施の形態に係るプロファイル発行装置が扱う接続情報に関する構造の一例を図２に示す。
【００６７】
プロファイル部品は、通信に係わるプロトコルの認証情報等であり、例えば、プロファイル部品Ａは、ＩＥＥＥ８０２．１１に準拠し、さらに、ＩＥＥＥ８０２．１１ａに準拠した通信および認証を行うための認証情報を有する。認証情報には、例えば、ＥＳＳＩＤ、認証方法、ＷＥＰ鍵等の情報が含まれる。
【００６８】
また、プロファイル部品パス５ａ〜プロファイル部品パス５ｃは、プロファイル部品に使用する順番を設定したものである。例えば、プロファイル部品パス５ａは、プロファイル部品Ａ、プロファイル部品Ｂ、プロファイル部品Ｃにこの順番を設定したものである。
【００６９】
また、プロファイル６ａ〜プロファイル６ｃは、所望のネットワークと接続するための情報であって、プロファイル部品パス５を、例えば使用の優先順を設定し組み合わせてなる情報である。このように、プロファイル発行装置１００が扱う接続情報は、プロファイル部品、プロファイル部品パス、プロファイルの３階層の構造を有する。
【００７０】
使用の優先順とは、最優先のプロファイル部品パス５を使用して接続が失敗したときには、次に優先されるプロファイル部品パス５を使用して接続を試みるという場合の優先順をいう。
【００７１】
ここで、各プロファイル部品と対応するネットワークの構成の一例を図３に示す。
【００７２】
プロファイル部品Ｃは、ネットワーク１０と接続するための情報である。また、ネットワーク１０は、レイヤ２スイッチによって構成され、ＩＥＥＥ８０２．１Ｘに準拠したAuthenticatorとして機能する通信機器１１、ＩＥＥＥ８０２．１ＸおよびＥＡＰ−ＴＴＬＳに準拠した認証サーバとして機能する通信機器１２を有する。
【００７３】
プロファイル部品Ｅは、ネットワーク２０と接続するための情報である。また、ネットワーク２０は、ＩＰアドレス等に関する設定を必要とする通信機器２１を有する。
【００７４】
プロファイル部品Ｄは、ネットワーク３０と接続するための情報である。また、ネットワーク３０は、ＩＰアドレス等に関する設定を必要とする通信機器３１を有する。
【００７５】
プロファイル部品Ｈは、ネットワーク４０と接続するための情報である。また、ネットワーク４０は、ＷＥＢサーバとして機能する通信機器４１を有する。
【００７６】
プロファイル部品Ｊは、ネットワーク５０と接続するための情報である。また、ネットワーク５０は、ＰＰＰに準拠したＲＡＳサーバとして機能する通信機器５１を有する。
【００７７】
プロファイル部品Ｉは、ネットワーク６０と接続するための情報である。また、ネットワーク６０は、ＩＰアドレス等に関する設定を必要とする通信機器６１を有する。
【００７８】
プロファイル部品Ｇは、ネットワーク７０と接続するための情報である。また、ネットワーク７０は、ＩＰｓｅｃに準拠したゲートウェイとして機能する通信機器７１を有する。
【００７９】
プロファイル部品Ｂは、ネットワーク８０と接続するための情報である。また、ネットワーク８０は、無線ＬＡＮのアクセスポイントとして機能する通信機器８１、ＩＥＥＥ８０２．１ＸおよびＥＡＰ−ＴＴＬＳに準拠した認証サーバとして機能する通信機器８２を有する。
【００８０】
プロファイル部品Ａは、ネットワーク９０と接続するための情報である。また、ネットワーク９０は、無線ＬＡＮのアクセスポイントとして機能する通信機器９１、ＩＥＥＥ８０２．１ＸおよびＥＡＰ−ＴＴＬＳに準拠した認証サーバとして機能する通信機器９２を有する。
【００８１】
通信機器９は通信機器１２、８２、９２を共通化したものである。プロファイル部品Ｆは、ＥＡＰ−ＴＴＴＬＳに準拠した認証サーバとして機能する通信機器９が必要とする認証情報であって、ネットワーク１０、２０および３０に接続するための情報である。
【００８２】
ここで、経路１は、ネットワーク１０、ネットワーク３０を介してネットワーク４０に接続する経路である。
【００８３】
経路２は、ネットワーク８０、ネットワーク２０を介してネットワーク４０に接続する経路である。
【００８４】
経路３は、ネットワーク９０、ネットワーク２０を介してネットワーク４０に接続する経路である。
【００８５】
経路４は、ネットワーク６０、ネットワーク７０を介してネットワーク４０に接続する経路である。
【００８６】
経路５は、ネットワーク５０、ネットワーク７０を介してネットワーク４０に接続する経路である。
【００８７】
以上のように構成された本発明の第１の実施の形態に係るプロファイル発行装置の動作について、図面を参照して説明する。
【００８８】
図４は、本発明の第１の実施の形態に係るプロファイル発行装置の動作を示すフローチャートである。
【００８９】
（プロファイル部品作成フェーズ）
まず、プロファイル発行装置１００を利用するネットワーク管理者は、ネットワークに接続するための接続情報であるプロファイル部品を、プロファイル操作部１０１に入力する（Ｓ１１）。次に、データベース管理部１５０は、プロファイル操作部１０１に入力されたプロファイル部品をプロファイル部品データベース１１０に格納させる（Ｓ１２）。
【００９０】
ネットワーク管理者は、例えば、図３に示した経路１から経路５までのそれぞれに含まれるネットワークや通信機器に対応するプロファイル部品をプロファイル部品データベース１１０に格納していく。
【００９１】
（プロファイル部品パス作成フェーズ）
まず、ネットワーク管理者は、例えば経路１に含まれるネットワーク等に対応するプロファイル部品を示す情報をプロファイル操作部１０１に入力する（Ｓ２１）。次に、データベース管理部１５０は、入力された情報に対応するプロファイル部品をプロファイル部品データベース１１０から検索する（Ｓ２２）。
【００９２】
プロファイル操作部１０１は、検索されたプロファイル部品をディスプレイに表示する（Ｓ２３）。ネットワーク管理者は、プロファイル操作部１０１を介して、必要があれば出力されたプロファイル部品のユーザ情報（例えば、認証情報等）を設定し、プロファイル操作部１０１に対し、検索されたプロファイル部品の使用される順番を指定する（Ｓ２４）。
【００９３】
プロファイル部品パス生成手段１４０は、ネットワーク管理者に指定されたプロファイル部品を指定された順番を設定してなるプロファイル部品パスを生成してプロファイル部品パスデータベース１２０に格納する（Ｓ２５）。ネットワーク管理者は、例えば、経路１から経路５まで繰り返してそれぞれに対応するプロファイル部品パスをプロファイル部品パスデータベース１２０に格納していく。なお、Ｓ２１からＳ２４まで繰り返し、プロファイル発行装置１００は、Ｓ２５で経路１から経路５までのプロファイル部品パスをプロファイル部品パスデータベース１２０に格納するようにしてもよい。
【００９４】
ここで、プロファイル部品パスデータベース１２０に格納されたプロファイル部品パスを図５（ａ）に示す。プロファイル部品パスの集合８は、経路１から経路５までのそれぞれに対応するプロファイル部品パスの集合である。例えば、ユーザＡのプロファイルは、経路１、２、４、５のプロファイル部品パスを例えば使用の優先順を設定し組み合わせてなるものである。また、ユーザＢのプロファイルは、経路１、２、３のプロファイル部品パスを例えば使用の優先順を設定し組み合わせてなるものである。
【００９５】
（プロファイル作成フェーズ）
図４において、ネットワーク管理者は、所望のネットワーク（例えばネットワーク４０）に接続する経路に対応するプロファイル部品パスを示す情報をプロファイル操作部１０１に入力する（Ｓ３１）。データベース管理部１５０は、入力された情報に対応するプロファイル部品パスをプロファイル部品パスデータベース１２０から検索する（Ｓ３２）。
【００９６】
プロファイル操作部１０１は、検索されたプロファイル部品パスをディスプレイに表示する（Ｓ３３）。ネットワーク管理者は、必要があれば、プロファイル操作部１０１を介して、出力されたプロファイル部品パスにユーザ情報（例えば、認証情報等）を設定し、プロファイル操作部１０１に対し、検索されたプロファイル部品パスの使用される順番を指定する（Ｓ３４）。
【００９７】
プロファイル部品パスの使用される順番がプロファイル操作部１０１に入力された後、発行手段１６０は、検索されたプロファイル部品パスを指定された順番を設定してなるプロファイルを生成し発行すると共に、プロファイルデータベース１３０に格納する（Ｓ３５）。
【００９８】
なお、Ｓ３１からＳ３４まで繰り返し、プロファイル発行装置１００は、Ｓ３５で経路１から経路５までのプロファイルをプロファイルデータベース１３０に格納するようにしてもよい。
【００９９】
図５（ａ）では、発行手段１６０が各経路に対応したプロファイル部品パスを組み合わせてなるプロファイルを各ユーザＡ、Ｂに発行する様子を示している。
【０１００】
なお、図５（ａ）では、発行手段１６０が、複数のプロファイル部品パスを組み合わせてなるプロファイルを発行しているが、勿論、１つのプロファイル部品パスからなるプロファイルを発行してもよい。
【０１０１】
なお、図５（ｂ）では、ユーザＡおよびユーザＢが同一の組織、ユーザＣおよびユーザＤが同一の組織に属する場合、複数のユーザを組織毎にグループ化し、組織が利用権限をもつプロファイル部品を含むプロファイルの一例を示している。この例では、ユーザＣおよびユーザＤが属する組織は、プロファイル部品Ａ、Ｂ、Ｃの利用権限をもたない。
【０１０２】
以上説明したように、本発明の第１の実施の形態に係るプロファイル発行装置は、ネットワークに接続するための接続情報であるプロファイル部品が格納されるプロファイル部品データベース（１１０）と、プロファイル部品データベース（１１０）から検索されたプロファイル部品にその際に指定された順番を設定してなるプロファイル部品パスを生成するプロファイル部品パス生成手段（１４０）と、生成されたプロファイル部品パスが格納されるプロファイル部品パスデータベース（１２０）と、指定されたプロファイル部品パスをプロファイル部品パスデータベース（１２０）から検索する検索手段（１５０）と、検索されたプロファイル部品パスを組み合わせてなるプロファイルを発行する発行手段（１６０）とを備えることで、プロファイル部品とその順番を指定すればプロファイル部品パスが生成され、プロファイル部品パスを指定すればプロファイルが発行されるので、接続情報に自ら順番を設定してプロファイルを生成する必要がなく、ネットワーク管理者にかかるプロファイル作成業務の負担を低減することができる。
【０１０３】
なお、プロファイル発行装置１００が発行したプロファイルは、その後、ユーザが使用する通信端末に格納され、通信端末は、プロファイルを用いて所望のネットワークと接続可能となる。
【０１０４】
（本発明の第２の実施の形態）
図６は、本発明の第２の実施の形態に係るプロファイル発行装置の装置構成図である。図６に示すように、プロファイル発行装置２００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部２０１、およびデータベース管理部２５０によって構成される。また、プロファイル操作部２０１は、プロファイル部品パス生成手段２４０、プロファイル部品パステンプレート生成手段２４１、プロファイルテンプレート生成手段２４２、および発行手段２６０を有している。
【０１０５】
なお、本発明の第２の実施の形態に係るプロファイル発行装置を構成する構成要素のうち、本発明の第１の実施の形態に係るプロファイル発行装置を構成する構成要素と同一の構成要素には同一の符号を付し、それぞれの説明を省略する。
【０１０６】
ここで、本発明の実施の形態に係るプロファイル発行装置が扱うプロファイルテンプレートに関する構造の一例を図７に示す。
【０１０７】
ネットワークと接続するための接続情報を、各ユーザに共通の共通情報および各ユーザ情報として区別し、ユーザ情報を除いた接続情報をプロファイル部品テンプレートとする。プロファイル部品テンプレートは、プロファイル部品テンプレートデータベース２１０に格納される。図７（ａ）に示すように、プロファイル部品テンプレートＦ、Ｄ、Ｈ、Ｊ、Ｇは、ユーザＩＤやパスワード等といったユーザ情報が未設定の状態となっている。また、プロファイル部品テンプレートＣのようにユーザ情報が設定されないものもある。
【０１０８】
また、プロファイル部品パステンプレートは、プロファイル部品テンプレートに順番を設定したものである。プロファイルテンプレートは、プロファイル部品パステンプレートに順番を設定したものである。プロファイルテンプレートは、例えば、図７（ａ）に示すように、プロファイル部品テンプレートＣ、Ｆ、Ｄ、Ｈにこの順番を設定したプロファイル部品パステンプレートと、プロファイル部品テンプレートＪ、Ｇにこの順番を設定したプロファイル部品パステンプレートとを組み合わせたものである。プロファイルは、例えば、図７（ｂ）に示すように、図７（ａ）の上のプロファイル部品パステンプレートのみを含むプロファイルテンプレートのプロファイル部品パステンプレートにユーザ情報が設定されたものである。
【０１０９】
なお、プロファイル発行装置２００を構成するプロファイル部品テンプレートデータベース２１０、プロファイル部品パステンプレートデータベース２２０、プロファイルテンプレートデータベース２３０、プロファイル操作部２０１、およびデータベース管理部２５０等は、ＣＰＵによって処理されるプログラムのモジュールを利用して実現されてもよい。
【０１１０】
以上のように構成された本発明の第２の実施の形態に係るプロファイル発行装置の動作について、図面を参照して説明する。本発明の第２の実施の形態の実施例を実施例Ａ〜実施例Ｃとし、以下に説明する。
【０１１１】
本発明の第２の実施の形態の実施例Ａについて説明する。まず、本発明の第２の実施の形態の実施例を実施例Ａに係るプロファイル発行装置の動作について説明するための図を図８に示す。
【０１１２】
（実施例Ａ：プロファイル部品テンプレート作成フェーズ）
まず、ネットワーク管理者は、ユーザ情報が設定されていないプロファイル部品、つまりプロファイル部品テンプレートをプロファイル操作部２０１に入力する（Ｓ４１）。次に、データベース管理部２５０は、プロファイル操作部２０１に入力されたプロファイル部品テンプレートをプロファイル部品テンプレートデータベース２１０に格納させる（Ｓ４２）。
【０１１３】
（実施例Ａ：プロファイル部品作成フェーズ）
まず、ネットワーク管理者は、プロファイル操作部２０１を介してプロファイル部品テンプレートデータベース２１０に格納されたプロファイル部品テンプレートに対しユーザ情報を設定する（Ｓ４３）。次に、ユーザ情報が設定されたプロファイル部品テンプレートは、プロファイル部品としてデータベース管理部２５０によってプロファイル部品データベース１１０に格納される（Ｓ４４）。
【０１１４】
（実施例Ａ：プロファイル部品パス作成フェーズ）
本発明の第１の実施の形態に係るプロファイル発行装置の動作と同様である。すなわち、Ｓ２１からＳ２５までのステップがプロファイル発行装置２００によって処理される。
【０１１５】
（実施例Ａ：プロファイル作成フェーズ）
本発明の第１の実施の形態に係るプロファイル発行装置の動作と同様である。すなわち、Ｓ３１からＳ３５までのステップがプロファイル発行装置２００によって処理される。
【０１１６】
次に、本発明の第２の実施の形態の実施例Ｂについて説明する。まず、本発明の第２の実施の形態の実施例を実施例Ｂに係るプロファイル発行装置の動作について説明するための図を図７、図８、および図９に示す。
【０１１７】
（実施例Ｂ：プロファイル部品テンプレート作成フェーズ）
図８に示したように、本発明の第２の実施の形態の実施例Ａに係るプロファイル発行装置の動作と同様である。すなわち、Ｓ４１およびＳ４２までのステップがプロファイル発行装置２００によって処理される。
【０１１８】
（実施例Ｂ：プロファイル部品パステンプレート作成フェーズ）
図９に示すように、まず、ネットワーク管理者は、設定したい経路に含まれるネットワーク等に対応するプロファイル部品テンプレートを示す情報をプロファイル操作部２０１に入力する（Ｓ５１）。そのときには、プロファイル部品テンプレートの順番も指定する。例えば、プロファイル部品テンプレートは、図７（ａ）で説明したプロファイル部品テンプレートＣ、Ｆやプロファイル部品テンプレートＤ、Ｈである。次に、データベース管理部２５０は、プロファイル操作部２０１に入力されたプロファイル部品テンプレートを示す情報に対応するプロファイル部品テンプレートをプロファイル部品テンプレートデータベース２１０から検索する（Ｓ５２）。
【０１１９】
プロファイル部品パステンプレート生成手段２４１は、検索された部品パステンプレートを指定された順番を設定してなるプロファイル部品パステンプレートを生成する（Ｓ５３）。次に、生成されたプロファイル部品パステンプレートは、データベース管理部２５０によってプロファイル部品パステンプレートデータベース２２０に格納される（Ｓ５４）。例えば、生成されたプロファイル部品パステンプレートは、プロファイル部品テンプレートＣ、Ｆを含み、また、他のプロファイル部品パステンプレートは、プロファイル部品テンプレートＤ、Ｈを含む。
【０１２０】
（実施例Ｂ：プロファイル作成フェーズ）
ネットワーク管理者は、経路に対応するプロファイル部品パステンプレートを示す情報をプロファイル操作部２０１に入力する（Ｓ６１）。そのときには、プロファイル部品パステンプレートの順番も指定する。例えば、プロファイル部品パステンプレートは、図７（ａ）で説明したプロファイル部品テンプレートＣ、Ｆ、Ｄ、Ｈからなるプロファイル部品パステンプレートと、プロファイル部品テンプレートＪ、Ｇからなるプロファイル部品パステンプレートの２つである。データベース管理部２５０は、プロファイル部品パステンプレートを示す、入力された情報に対応するプロファイル部品パステンプレートをプロファイル部品パステンプレートデータベース２２０から検索する（Ｓ６２）。
【０１２１】
プロファイル操作部２０１は、検索されたプロファイル部品パステンプレートをディスプレイに表示する（Ｓ６３）。ネットワーク管理者は、プロファイル操作部２０１を介して、表示されたプロファイル部品パステンプレートに含まれるプロファイル部品テンプレートにユーザ情報を設定する（Ｓ６４）。
【０１２２】
プロファイル操作部２０１が、ユーザ情報が設定されたプロファイル部品パステンプレートを入力した後、発行手段２６０は、ユーザ情報が設定されたプロファイル部品パスを指定された順番を設定してなるプロファイルを生成し発行すると共に、プロファイルデータベース１３０に格納する（Ｓ６５）。例えば、図７（ｂ）に示すように、発行されたプロファイルは、ユーザ情報が設定されたプロファイル部品テンプレートＣ、Ｆ、Ｄ、Ｈにこの順番を設定したものとなる。
【０１２３】
次に、本発明の第２の実施の形態の実施例Ｃについて説明する。まず、本発明の第２の実施の形態の実施例を実施例Ｃに係るプロファイル発行装置の動作について説明するための図を図７、図８、図９、および図１０に示す。
【０１２４】
（実施例Ｃ：プロファイル部品テンプレート作成フェーズ）
本発明の第２の実施の形態の実施例Ａに係るプロファイル発行装置の動作と同様である。すなわち、図８で説明したＳ４１およびＳ４２までのステップがプロファイル発行装置２００によって処理される。
【０１２５】
（実施例Ｃ：プロファイル部品パステンプレート作成フェーズ）
本発明の第２の実施の形態の実施例Ｂに係るプロファイル発行装置の動作と同様である。すなわち、図９で説明したＳ５１およびＳ５４までのステップがプロファイル発行装置２００によって処理される。
【０１２６】
（実施例Ｃ：プロファイルテンプレート作成フェーズ）
図１０に示すように、ネットワーク管理者は、所望のネットワークに接続する経路に対応するプロファイル部品パステンプレートを示す情報をプロファイル操作部２０１に入力する（Ｓ７１）。そのときには、プロファイル部品パステンプレートの順番も指定する。例えば、プロファイル部品パステンプレートは、図７（ａ）で説明したプロファイル部品テンプレートＣ、Ｆ、Ｄ、Ｈからなるプロファイル部品パステンプレートと、プロファイル部品テンプレートＪ、Ｇからなるプロファイル部品パステンプレートの２つである。データベース管理部２５０は、プロファイル部品パステンプレートを示す、入力された情報に対応するプロファイル部品パステンプレートをプロファイル部品パステンプレートデータベース２２０から検索する（Ｓ７２）。
【０１２７】
プロファイルテンプレート生成手段２４２は、検索されたプロファイル部品パステンプレートを指定された順番を設定してなるプロファイルテンプレートを生成する（Ｓ７３）。次に、生成されたプロファイルテンプレートは、データベース管理部２５０によってプロファイルテンプレートデータベース２３０に格納される（Ｓ７４）。例えば、図７（ａ）に示したように、生成されたプロファイルテンプレートは、ユーザ情報が未だ設定されていないプロファイル部品テンプレートＣ、Ｆ、Ｄ、Ｈにこの順番を設定したものとなる。
【０１２８】
（実施例Ｃ：プロファイル作成フェーズ）
ネットワーク管理者は、所望のネットワークに接続する経路に対応するプロファイルテンプレートを示す情報をプロファイル操作部２０１に入力する（Ｓ８１）。データベース管理部２５０は、入力された情報に対応するプロファイルテンプレートをプロファイルテンプレートデータベース２３０から検索する（Ｓ８２）。プロファイル操作部２０１は、検索されたプロファイルテンプレートをディスプレイに表示する（Ｓ８３）。
【０１２９】
ネットワーク管理者は、プロファイル操作部２０１を介して、表示されたプロファイルテンプレートに、つまりこれに含まれるプロファイル部品テンプレートに対しユーザ情報を設定する（Ｓ８４）。発行手段２６０は、ユーザ情報が設定されたプロファイルテンプレートであるプロファイルを生成し発行すると共に、プロファイルデータベース１３０に格納する（Ｓ８５）。例えば、図７（ｂ）に示したように、発行されたプロファイルは、ユーザ情報が設定されたプロファイル部品テンプレートＣ、Ｆ、Ｄ、Ｈの順でネットワークと接続するための情報となる。
【０１３０】
以上説明したように、本発明の第２の実施の形態に係るプロファイル発行装置は、ネットワークに接続するための接続情報でありかつユーザ情報が設定されていないプロファイル部品テンプレートを格納するプロファイル部品テンプレートデータベース（２１０）と、入力または指定されたユーザ情報をプロファイル部品テンプレートデータベースに格納されたプロファイル部品テンプレートに設定してなるプロファイル部品が格納されるプロファイル部品データベース（１１０）と、プロファイル部品データベース（１１０）から検索されたプロファイル部品にその際に指定された順番を設定してなるプロファイル部品パスが格納されるプロファイル部品パスデータベース（１２０）と、指定されたプロファイル部品パスをプロファイル部品パスデータベースから検索する検索手段（２５０）と、検索されたプロファイル部品パスを組み合わせてなるプロファイルを発行する発行手段（２６０）とを備えることで、ユーザ情報を入力または指定してプロファイル部品とその順番を指定すればプロファイル部品パスが生成され、プロファイル部品パスを指定すればプロファイルが発行されるので、接続情報に自ら順番を設定してプロファイルを生成する必要がなく、ネットワーク管理者にかかるプロファイル作成業務の負担を低減することができる。
【０１３１】
また、ネットワークに接続するための接続情報でありかつユーザ情報が設定されていないプロファイル部品テンプレートを格納するプロファイル部品テンプレートデータベース（２１０）と、プロファイル部品テンプレートデータベース（２１０）から検索されたプロファイル部品テンプレートにその際に指定された順番を設定してなるプロファイル部品パステンプレートを生成しプロファイル部品パステンプレートデータベース（２２０）に格納するプロファイル部品パステンプレート生成手段（２４１）と、指定されたプロファイル部品パステンプレートをプロファイル部品パステンプレートデータベース（２２０）から検索する検索手段（２５０）と、検索されたプロファイル部品パステンプレートを組み合わせその際に入力または指定されたユーザ情報を設定してなるプロファイルを発行する発行手段（２６０）とを備えることで、プロファイル部品テンプレートとその順番を指定すればプロファイル部品パステンプレートが生成され、プロファイル部品パステンプレートを指定しユーザ情報を入力または指定すればプロファイルが発行されるので、接続情報に自ら順番を設定してプロファイルを生成する必要がなく、ネットワーク管理者にかかるプロファイル作成業務の負担を低減することができる。
【０１３２】
また、ネットワークに接続するための接続情報でありかつユーザ情報が設定されていないプロファイル部品テンプレートを格納するプロファイル部品テンプレートデータベース（２１０）と、プロファイル部品テンプレートデータベース（２１０）から検索されたプロファイル部品テンプレートにその際に指定された順番を設定してなるプロファイル部品パステンプレートを生成しプロファイル部品パステンプレートデータベース（２２０）に格納するプロファイル部品パステンプレート生成手段（２４１）と、プロファイル部品パステンプレートデータベース（２２０）から検索されたプロファイル部品パステンプレートを組み合わせてなるプロファイルテンプレートを生成しプロファイルテンプレートデータベース（２３０）に格納するプロファイルテンプレート生成手段（２４２）と、指定されたプロファイルテンプレートをプロファイルテンプレートデータベース（２４２）から検索しその際に入力または指定されたユーザ情報を設定してなるプロファイルを発行する発行手段（２６０）とを備えることで、プロファイル部品テンプレートとその順番を指定すればプロファイル部品パステンプレートが生成され、プロファイル部品パステンプレートを指定すればプロファイルテンプレートが生成され、プロファイルテンプレートを指定しユーザ情報を入力または指定すればプロファイルが発行されるので、接続情報に自ら順番を設定してプロファイルを生成する必要がなく、ネットワーク管理者にかかるプロファイル作成業務の負担を低減することができる。
【０１３３】
（本発明の第３の実施の形態）
図１１は、本発明の第３の実施の形態に係るプロファイル発行装置の装置構成図である。図１１に示すように、プロファイル発行装置３００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部３０１、データベース管理部２５０、および表示手段３７０によって構成される。また、プロファイル操作部３０１は、プロファイル部品パス生成手段３４０、プロファイル部品パステンプレート生成手段２４１、プロファイルテンプレート生成手段２４２、および発行手段２６０を有している。
【０１３４】
なお、本発明の第３の実施の形態に係るプロファイル発行装置を構成する構成要素のうち、本発明の第２の実施の形態に係るプロファイル発行装置を構成する構成要素と同一の構成要素には同一の符号を付し、それぞれの説明を省略する。
【０１３５】
また、プロファイル発行装置３００を構成するプロファイル操作部３０１および表示手段３７０等は、ＣＰＵによって処理されるプログラムのモジュールを利用して実現されてもよい。なお、表示手段３７０には、プロファイル部品パステンプレートの組み合わせ可能なプロファイル部品テンプレートを表す順序関係情報が格納されている。
【０１３６】
以上のように構成された本発明の第３の実施の形態に係るプロファイル発行装置の動作について、図面を参照して説明する。本発明の第３の実施の形態に係るプロファイル発行装置の動作について説明するための図を図１２に示す。
【０１３７】
まず、本発明の第２の実施の形態で説明したプロファイル部品パス作成フェーズの動作において、ネットワーク管理者がプロファイル部品パステンプレートを作成するとき、プロファイル操作部３０１からの入力に応じて、表示手段３７０は、操作画面３７２に第１選択のプロファイル部品テンプレートを選択させる。次に、ネットワーク管理者が、例えば、第１選択として有線ＬＡＮインタフェースを選択したとき（Ｓ１２１）、表示手段３７０は、順序関係情報３７１に基づいて有線ＬＡＮインタフェースと組み合わせ可能なプロファイル部品テンプレートが「ＩＰ設定」、「ＰＰＰｏＥ」、「ＩＥＥＥ８０２．１Ｘ」であることを特定する（Ｓ１２２）。
【０１３８】
さらに、表示手段３７０は、特定したこれらの情報と対応するプロファイル部品テンプレート名をプロファイル部品テンプレートデータベース２１０から抽出し、抽出したプロファイル部品テンプレート名を第２選択の選択肢情報として、操作画面３７２に表示させる（Ｓ１２３）。
【０１３９】
また、ネットワーク管理者が第２選択として「ＩＰ設定」、「ＰＰＰｏＥ」、「ＩＥＥＥ８０２．１Ｘ」のうち何れかを選択したとき、同様に表示手段３７０は、順序関係情報３７１に基づいて第３選択の選択肢情報を操作画面３７２に表示させ、以降、繰り返す。プロファイル部品パス生成手段３４０は、ネットワーク管理者が選択したプロファイル部品テンプレートに応じて、プロファイル部品パステンプレートを生成してプロファイル部品パステンプレートデータベース２２０に格納する。
【０１４０】
なお、操作画面３７３では、第１選択として無線ＬＡＮインタフェースが選択されたときの様子を示している。操作画面３７４では、第１選択としてシリアルインタフェースが選択されたときの様子を示している。
【０１４１】
以上説明したように、本発明の第３の実施の形態に係るプロファイル発行装置は、プロファイル部品テンプレートデータベース（２１０）から検索されたプロファイル部品テンプレートを表示する表示手段（３７０）を備え、プロファイル部品パステンプレート生成手段（２４１）は、表示後に指定されたプロファイル部品テンプレートと該プロファイル部品テンプレートに組み合わせ得るプロファイル部品テンプレートとに順番を設定してなるプロファイル部品パステンプレートを生成することで、表示後に指定したプロファイル部品テンプレートに組み合わせ得るプロファイル部品テンプレートを指定する必要がなく、ネットワーク管理者にかかるプロファイル作成業務の負担を低減することができる。
【０１４２】
よって、通信プロトコルに精通していないネットワーク管理者でもプロファイルを容易に作成でき、通信経路上に通信対象のプロトコルの組合せが多い場合でも正しいプロファイルを作成することができる。
【０１４３】
また、本発明の第３の実施の形態に係るプロファイル発行装置では、プロファイルにおけるプロファイル部品同士またはプロファイル部品パス同士またはプロファイル部品とプロファイル部品パスとが整合しているか否かを検査する。よって、正しいプロファイルを作成することができる。例えば、ＩＰアドレスの設定において、プロファイル部品に、静的なＩＰアドレスを示す接続情報と、ＤＨＣＰ等の動的なＩＰアドレスが共に設定されているとき、整合の有無を検査し、不整合があれば、ネットワーク管理者にその旨を通知する。また、プロファイル発行装置では、プロファイル部品同士の整合の有無のみならず、プロファイル部品パス同士の検査、プロファイル部品とプロファイル部品パスと整合の有無など、整合を要する如何なる情報間の整合の有無を検査するようにしてもよい。このような、整合の有無を検査する構成は他の実施の形態で採用してもよい。
【０１４４】
また、本発明の第３の実施の形態に係るプロファイル発行装置は、プロファイル部品テンプレートに設定されたユーザ情報を設定すべき他のプロファイル部品テンプレートに当該ユーザ情報を設定することで、設定されるべきでないユーザ情報が設定されてなるプロファイル部品を含むプロファイルが発行されるのを防止することができる。
【０１４５】
（本発明の第４の実施の形態）
図１３は、本発明の第４の実施の形態に係るプロファイル発行装置の装置構成図である。図１３に示すように、プロファイル発行装置４００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部２０１、データベース管理部２５０、および編集属性設定手段４７０によって構成される。
【０１４６】
なお、本発明の第４の実施の形態に係るプロファイル発行装置を構成する構成要素のうち、本発明の第２の実施の形態に係るプロファイル発行装置を構成する構成要素と同一の構成要素には同一の符号を付し、それぞれの説明を省略する。
【０１４７】
編集属性設定手段４７０は、ユーザによって決定されるユーザ情報または共通情報のうち少なくとも１つを編集可能にするためのものである。ユーザによって決定されるユーザ情報は、例えばユーザＩＤやパスワード等である。また、共通情報は、ユーザによって決定されない情報であり、ネットワーク管理者が設定する情報である。
【０１４８】
以上のように構成された本発明の第４の実施の形態に係るプロファイル発行装置の動作について、図面を参照して説明する。本発明の第４の実施の形態に係るプロファイル発行装置の動作について説明するための図を図１４に示す。
【０１４９】
ネットワーク管理者は、本発明の第２の実施の形態で説明したプロファイル発行装置の動作において、プロファイル部品テンプレートに対しユーザ情報を設定したとき（Ｓ１４１）等、編集属性設定手段４７０は、ユーザによって決定される情報４７１にユーザによる編集を可能とする属性を設定する。このような属性の情報４７１を設定されたプロファイル部品テンプレートはユーザ非依存のプロファイル部品テンプレートなので、ネットワーク管理者はユーザの数に依存せず、見かけ上、１回の設定でそのユーザ数分のプロファイル部品のユーザ情報を設定したことになる（Ｓ１４１）。
【０１５０】
なお、プロファイル部品テンプレートに設定される、ユーザに依存しない共通情報４７２は、ユーザ数に依存しないので、これも１回の設定で済むこととなる（Ｓ１４１）。
【０１５１】
なお、編集属性設定手段４７０は、共通情報４７２にも編集を可能にする設定することも可能である。
【０１５２】
例えば、編集属性設定手段４７０は、共通情報４７２を暗号化し、ユーザによって決定される情報４７１を暗号化しないようにしてもよい。
【０１５３】
プロファイル部品テンプレートに対しユーザ情報を設定したときには、データベース管理部２５０は、編集属性設定手段４７０によって編集属性を設定されたプロファイル部品をプロファイル部品データベース１１０に格納させる（Ｓ１４２）。
【０１５４】
また、プロファイル部品パステンプレートに含まれるプロファイル部品テンプレートに対しユーザ情報を設定したときには、データベース管理部２５０は、編集属性設定手段４７０によって編集属性が設定されたプロファイル部品パスをプロファイル部品パスデータベース１２０に格納させる。プロファイルテンプレートの場合も同様である。その後、編集属性を設定したプロファイル部品を含むプロファイルは、プロファイル発行装置４００によって発行される。
【０１５５】
なお、プロファイル発行装置４００が発行したプロファイルが通信端末に格納され（Ｓ１４３）、その後においては、通信端末は、プロファイルに含まれている編集属性を編集可能に設定した情報４７１のみが編集でき、各ユーザは、それぞれのユーザＩＤやパスワード等を設定する（Ｓ１４４）。その後、通信端末は、ユーザＩＤやパスワード等を設定したプロファイルを用いて所望のネットワークと接続可能となる。
【０１５６】
以上説明したように、本発明の第４の実施の形態に係るプロファイル発行装置は、プロファイル部品テンプレートに設定されたユーザ情報に対し、プロファイル発行後の編集を可能にする属性を設定する属性設定手段（４７０）を備えることで、ネットワーク管理者により暫定的に設定されたユーザ情報であるパスワード等を含むプロファイルの発行後に当該パスワード等をネットワーク管理者に知られていないパスワード等に編集することができ、よって、ユーザにとって第三者に知られては不都合な情報を機密にすることができる。
【０１５７】
また、従来では、ネットワーク管理者が、パスワード等の情報を１つ１つ各ユーザに問い合わせて設定する必要があり、ユーザ数が多い場合では、ネットワーク管理者に多大な負担をかけていたが、本発明の第４の実施の形態に係るプロファイル発行装置は、ユーザに対してパスワード等の情報を問い合わせて設定する必要もなくなり、ネットワーク管理者にかかるプロファイル作成業務の負担を低減することができる。
【０１５８】
（本発明の第５の実施の形態）
図１５は、本発明の第５の実施の形態に係るプロファイル発行装置の装置構成図である。図１５に示すように、プロファイル発行装置５００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部２０１、データベース管理部５５０、およびプール情報格納手段５７０によって構成される。
【０１５９】
なお、本発明の第５の実施の形態に係るプロファイル発行装置を構成する構成要素のうち、本発明の第２の実施の形態に係るプロファイル発行装置を構成する構成要素と同一の構成要素には同一の符号を付し、それぞれの説明を省略する。
【０１６０】
また、プロファイル発行装置５００を構成するデータベース管理部５５０およびプール情報格納手段５７０等は、ＣＰＵによって処理されるプログラムのモジュールを利用して実現されてもよい。プール情報格納手段５７０は、ユーザ情報を含むプール情報を格納するためのものである。
【０１６１】
以上のように構成された本発明の第５の実施の形態に係るプロファイル発行装置の動作について、図面を参照して説明する。本発明の第５の実施の形態に係るプロファイル発行装置の動作について説明するための図を図１６に示す。
【０１６２】
プール情報格納手段５７０には、ユーザ情報を含むプール情報が予め格納されている。例えば、プール情報には、プロファイル発行時に用いられるユーザと対応するパスワード等のユーザ情報、残量管理の必要な情報、および特定ネットワークのサービスに利用される情報等が含まれる。ここで、プール情報の登録について詳細に説明する。
【０１６３】
予めネットワーク管理者は、ＩＳＰが割当てたアカウント等のユーザ情報や特定ネットワークのサービスに利用される社内ネットワーク情報をプロファイル操作部２０１に入力し、プール情報格納手段５７０は、入力されたこれらの情報を格納する。図１６では、プール情報格納手段５７０が格納する社内ネットワーク情報を社内ネットワークのTCP/IP設定管理テーブルとし、ユーザ情報をプロバイダアカウント管理テーブルとしている。
【０１６４】
ここで、本発明の第２の実施の形態の実施例Ａで説明したプロファイル部品作成フェーズの動作において、ユーザ情報がネットワーク管理者によってプロファイル部品テンプレートに対して設定される前に、プロファイル操作部２０１は、プール情報格納手段５７０から利用可能なプール情報を検索し操作画面に表示させる。
【０１６５】
利用可能なプール情報とは、既に使用中の情報ではない情報である。ネットワーク管理者は、利用可能なプール情報のうち何れかを選択したとき、選択されたプール情報が設定されたプロファイル部品テンプレートは、プロファイル部品としてデータベース管理部２５０によってプロファイル部品データベース１１０に格納される。
【０１６６】
これにより、この選択されたプール情報がユーザ情報として設定されたプロファイル部品を含むプロファイルが生成され発行される。
【０１６７】
また、本発明の第２の実施の形態の実施例Ｂで説明したプロファイル作成フェーズの動作において、ユーザ情報がネットワーク管理者によってプロファイル部品パステンプレートに対して設定される前に、プロファイル操作部２０１は、プール情報格納手段５７０から利用可能なプール情報を検索し操作画面に表示させる。ネットワーク管理者は、利用可能なプール情報のうち何れかを選択したとき、発行手段２６０は、選択されたプール情報が設定されたときのプロファイル部品パステンプレートを組み合わせてなるプロファイルを生成し発行すると共に、プロファイルデータベース１３０に格納する。また、選択されたプール情報が設定されたプロファイル部品パステンプレートは、プロファイル部品パステンプレートデータベース２２０に格納される。なお、本発明の第２の実施の形態の実施例Ｃで説明したプロファイル作成フェーズの動作においても同様である。
【０１６８】
以上説明したように、本発明の第５の実施の形態に係るプロファイル発行装置は、プロファイル部品テンプレートに設定されるユーザ情報となるプール情報が格納されるプール情報格納手段（５７０）を備え、プール情報格納手段（５７０）からプール情報を検索し表示させ、表示後に指定されたプール情報をユーザ情報としてプロファイル部品テンプレートに設定することで、表示されたプール情報を指定すれば当該ユーザ情報がプロファイル部品テンプレートに設定されるので、ネットワーク管理者がプロファイル部品テンプレートに設定されるユーザ情報の管理を行わなくてもよくなり、ネットワーク管理者にかかるプロファイル作成業務の負担を低減することができる。
【０１６９】
また、プロファイル部品パステンプレートに設定されるユーザ情報となるプール情報が格納されるプール情報格納手段（５７０）を備え、プール情報格納手段（５７０）からプール情報を検索し表示させ、表示後に指定されたプール情報をユーザ情報としてプロファイル部品パステンプレートに設定してなるプロファイル部品パスを生成することで、表示されたプール情報を指定すれば当該ユーザ情報がプロファイル部品パステンプレートに設定されるので、ネットワーク管理者がプロファイル部品パステンプレートに設定されるユーザ情報の管理を行わなくてもよくなり、ネットワーク管理者にかかるプロファイル作成業務の負担を低減することができる。
【０１７０】
また、プロファイルテンプレートに設定されるユーザ情報となるプール情報が格納されるプール情報格納手段（５７０）を備え、プール情報格納手段（５７０）からプール情報を検索し表示させ、表示後に指定されたプール情報をユーザ情報としてプロファイルテンプレートに設定してなるプロファイルを生成することで、ネットワーク管理者がプロファイルテンプレートに設定されるユーザ情報の管理を行わなくてもよくなり、ネットワーク管理者にかかるプロファイル作成業務の負担を低減することができる。
【０１７１】
（本発明の第６の実施の形態）
図１７は、本発明の第６の実施の形態に係るプロファイル発行装置の装置構成図である。図１７に示すように、プロファイル発行装置６００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部２０１、データベース管理部２５０、通信手段６７０、および通信登録手段６８０によって構成される。
【０１７２】
なお、本発明の第６の実施の形態に係るプロファイル発行装置を構成する構成要素のうち、本発明の第２の実施の形態に係るプロファイル発行装置を構成する構成要素と同一の構成要素には同一の符号を付し、それぞれの説明を省略する。
【０１７３】
また、プロファイル発行装置６００を構成する通信登録手段６８０等は、ＣＰＵによって処理されるプログラムのモジュールを利用して実現されてもよい。なお、通信手段６７０は、ネットワークインターフェース等を有する。
【０１７４】
以上のように構成された本発明の第６の実施の形態に係るプロファイル発行装置の動作について、図面を参照して説明する。本発明の第６の実施の形態に係るプロファイル発行装置の動作について説明するための図を図１８に示す。
【０１７５】
本発明の第２の実施の形態で説明した実施例Ａのプロファイル部品作成フェーズにおいて、プロファイル部品テンプレートデータベース２１０に格納されたプロファイル部品テンプレートに対しユーザ情報が、プロファイル操作部２０１を介してネットワーク管理者によって設定され、プロファイル部品が生成される。
【０１７６】
また、本発明の第２の実施の形態で説明した実施例Ｂのプロファイル部品パス作成フェーズにおいて、プロファイル部品パステンプレートに含まれるプロファイル部品テンプレートに対しユーザ情報が、プロファイル操作部２０１を介してネットワーク管理者によって設定され、プロファイル部品パスに、生成されたプロファイル部品が含まれることになる。
【０１７７】
また、本発明の第２の実施の形態で説明した実施例Ｃのプロファイル作成フェーズにおいて、プロファイルテンプレートに含まれるプロファイル部品テンプレートに対しユーザ情報が、プロファイル操作部２０１を介してネットワーク管理者によって設定され、プロファイルに、生成されたプロファイル部品が含まれることになる。
【０１７８】
このとき、通信登録手段６８０は、生成されたプロファイル部品による接続で接続される当該ネットワークが接続のときに必要とする接続情報（例えば、ユーザ情報であるパスワード等）を通信手段６７０を介して登録する。
【０１７９】
なお、電子証明書等のユーザ情報が必要なとき、通信登録手段６８０は、通信機器６９（電子認証局）からユーザと対応する電子証明書を通信手段６７０を介して取得することもできる。
【０１８０】
以上説明したように、本発明の第６の実施の形態に係るプロファイル発行装置は、プロファイル部品テンプレートから生成されたプロファイル部品により接続されるネットワークと通信する通信手段（６７０）と、当該プロファイル部品による接続でネットワークに必要とされる接続情報を通信手段（６７０）を介してネットワークに登録するプロファイル登録手段（６８０）とを備えることで、ネットワークが必要とする接続情報が通信手段を介してネットワークに登録されるので、ネットワーク管理者が接続情報をネットワークに登録する手間が省略でき、ネットワーク管理者にかかるプロファイル作成業務の負担を低減することができる。
【０１８１】
また、プロファイル部品パステンプレートから生成されたプロファイル部品パスに含まれるプロファイル部品により接続されるネットワークと通信する通信手段（６７０）と、当該プロファイル部品による接続でネットワークに必要とされる接続情報を通信手段（６７０）を介してネットワークに登録するプロファイル登録手段（６８０）を備えることで、ネットワークが必要とする接続情報が通信手段を介してネットワークに登録されるので、ネットワーク管理者が接続情報をネットワークに登録する手間が省略でき、ネットワーク管理者にかかるプロファイル作成業務の負担を低減することができる。
【０１８２】
また、プロファイルテンプレートから生成されたプロファイルに含まれるプロファイル部品により接続されるネットワークと通信する通信手段（６７０）と、当該プロファイル部品による接続でネットワークに必要とされる接続情報を通信手段（６７０）を介してネットワークに登録するプロファイル登録手段（６８０）を備えることで、ネットワークが必要とする接続情報が通信手段を介してネットワークに登録されるので、ネットワーク管理者が接続情報をネットワークに登録する手間が省略でき、ネットワーク管理者にかかるプロファイル作成業務の負担を低減することができる。
【０１８３】
（本発明の第７の実施の形態）
図１９は、本発明の第７の実施の形態に係るプロファイル発行装置の装置構成図である。図１９に示すように、プロファイル発行装置７００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部７０１、データベース管理部２５０、および一覧表示手段７７０によって構成される。また、プロファイル操作部７０１は、プロファイル部品パス生成手段２４０、プロファイル部品パステンプレート生成手段２４１、プロファイルテンプレート生成手段２４２、および発行手段７６０を有している。
【０１８４】
なお、本発明の第７の実施の形態に係るプロファイル発行装置を構成する構成要素のうち、本発明の第２の実施の形態に係るプロファイル発行装置を構成する構成要素と同一の構成要素には同一の符号を付し、それぞれの説明を省略する。
【０１８５】
また、プロファイル発行装置７００を構成するプロファイル操作部７０１および一覧表示手段７７０等は、ＣＰＵによって処理されるプログラムのモジュールを利用して実現されてもよい。一覧表示手段７７０は、ユーザが利用権限をもつプロファイルテンプレート、プロファイル部品テンプレート、またはプロファイル部品パステンプレートの一覧を表示させるためのものである。
【０１８６】
以上のように構成された本発明の第７の実施の形態に係るプロファイル発行装置の動作について、図面を参照して説明する。本発明の第７の実施の形態に係るプロファイル発行装置の動作について説明するための図を図２０に示す。
【０１８７】
本発明の第２の実施の形態で説明した実施例Ｃのプロファイル作成フェーズにおいて、プロファイルテンプレートに含まれるプロファイル部品テンプレートに対しユーザ情報が、プロファイル操作部２０１を介してネットワーク管理者によって設定される。一覧表示手段７７０は、ユーザが利用権限をもつプロファイルテンプレートの一覧７７１を操作画面に表示させる。
【０１８８】
より詳細に説明すれば、一覧表示手段７７０は、ユーザと所属とが対応した所属情報７７２、および、所属に対応した利用権限をもつプロファイルテンプレートと所属とが対応した利用権限情報７７３を有し、ネットワーク管理者から指定されたユーザが設定されたプロファイルテンプレートを所属情報７７２および利用権限情報７７３から特定し、特定したプロファイルテンプレートの一覧７７１を表示させる。
【０１８９】
ネットワーク管理者は、一覧７７１からプロファイルテンプレートを選択する。プロファイルテンプレートが選択されたとき、発行手段７６０は、ネットワーク管理者によって選択されたプロファイルテンプレートに含まれる部品テンプレートに対し当該ユーザのユーザ情報が設定されてなるプロファイルを発行する。
【０１９０】
また、本発明の第２の実施の形態で説明した実施例Ａのプロファイル部品作成フェーズにおいても、プロファイル部品テンプレートに対しユーザ情報が、プロファイル操作部２０１を介してネットワーク管理者によって設定された場合には、一覧表示手段７７０は、ユーザが利用権限をもつプロファイル部品テンプレートの一覧を操作画面に表示させる。その後、発行手段７６０は、ネットワーク管理者によって一覧から選択されたプロファイル部品テンプレートに対し当該ユーザのユーザ情報が設定されてなるプロファイル部品を含むプロファイルを発行する。
【０１９１】
また、本発明の第２の実施の形態で説明した実施例Ｂのプロファイル作成フェーズにおいても、プロファイル部品パステンプレートに含まれるプロファイル部品テンプレートに対しユーザ情報が、プロファイル操作部２０１を介してネットワーク管理者によって設定された場合には、一覧表示手段７７０は、ユーザが利用権限をもつプロファイル部品パステンプレートの一覧を表示させる。その後、発行手段７６０は、ネットワーク管理者によって一覧から選択されたプロファイル部品パステンプレート（に含まれるプロファイル部品テンプレート）に対し当該ユーザのユーザ情報が設定されてなるプロファイル部品パスを含むプロファイルを発行する。
【０１９２】
以上説明したように、本発明の第７の実施の形態に係るプロファイル発行装置は、プロファイル部品テンプレートに設定されるユーザ情報のユーザが利用権限をもつプロファイル部品テンプレートを表示させる表示手段（７７０）を備え、表示後に指定されたプロファイル部品テンプレートに当該ユーザ情報を設定してなるプロファイル部品を含むプロファイルを発行することで、そのユーザが利用権限をもたないプロファイル部品テンプレートに当該ユーザ情報を設定してなるプロファイル部品を含むプロファイルが発行されるのを防止することができる。
【０１９３】
また、プロファイル部品パステンプレートに設定されるユーザ情報のユーザが利用権限をもつプロファイル部品パステンプレートを表示させる表示手段（７７０）を備え、表示後に指定されたプロファイル部品パステンプレートに当該ユーザ情報を設定してなるプロファイル部品パスを含むプロファイルを発行することで、そのユーザが利用権限をもたないプロファイル部品パステンプレートに当該ユーザ情報を設定してなるプロファイル部品パスを含むプロファイルが発行されるのを防止することができる。
【０１９４】
また、プロファイルテンプレートに設定されるユーザ情報のユーザが利用権限をもつプロファイルテンプレートを表示させる表示手段（７７０）を備え、表示後に指定されたプロファイルテンプレートに当該ユーザ情報を設定してなるプロファイルを発行することで、そのユーザが利用権限をもたないプロファイルテンプレートに当該ユーザ情報を設定してなるプロファイルが発行されるのを防止することができる。
【０１９５】
（本発明の第８の実施の形態）
図２１は、本発明の第８の実施の形態に係るプロファイル発行装置の装置構成図である。図２１に示すように、プロファイル発行装置８００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部７０１、データベース管理部２５０、一覧表示手段７７０、通信手段６７０、および通信登録手段８８０によって構成される。
【０１９６】
なお、本発明の第８の実施の形態に係るプロファイル発行装置を構成する構成要素のうち、本発明の第６および第７の実施の形態に係るプロファイル発行装置を構成する構成要素と同一の構成要素には同一の符号を付し、それぞれの説明を省略する。
【０１９７】
また、プロファイル発行装置８００を構成する通信登録手段８８０等は、ＣＰＵによって処理されるプログラムのモジュールを利用して実現されてもよい。なお、通信手段６７０は、本発明の第８の実施の形態で説明したものと同一のものである。
【０１９８】
以上のように構成された本発明の第８の実施の形態に係るプロファイル発行装置の動作について、図面を参照して説明する。本発明の第８の実施の形態に係るプロファイル発行装置の動作について説明するための図を図２２に示す。
【０１９９】
予め通信登録手段８８０は、通信手段６７０を介して所属情報７７２を通信機器６９（社員ＤＢ）から取得し、所属情報７７２をハードディスク等に格納する。また、ネットワーク管理者は、利用権限情報７７４を作成しておく。
【０２００】
例えば、一覧表示手段７７０は、ネットワーク管理者から指定されたユーザと対応するプロファイルテンプレートを所属情報７７２および利用権限情報７７４から特定し、特定したプロファイルテンプレートの一覧７７１を操作画面に表示させる。
【０２０１】
次に、発行手段７６０は、ネットワーク管理者が一覧７７１から選択したプロファイルテンプレートに基づいてユーザ情報を編集したプロファイルを発行すると共に、通信登録手段８８０は、一覧７７１からネットワーク管理者が選択したプロファイルテンプレートに編集されたユーザ情報を、プロファイルテンプレートと対応する通信機器６９（認証サーバ）に登録する。
【０２０２】
以上説明したように、本発明の第８の実施の形態に係るプロファイル発行装置は、一覧からネットワーク管理者が選択したプロファイルテンプレートと対応する通信機器に、編集されたユーザ情報を登録するため、ネットワーク管理者が所属情報等を自ら取得したりユーザの利用権限を判断したりして、通信機器にユーザ情報を登録するネットワーク管理者にかかる手間が省略され、ネットワーク管理者にかかるプロファイル作成業務の負担を低減することができる。
【０２０３】
（本発明の第９の実施の形態）
図２３は、本発明の第９の実施の形態に係るプロファイル発行装置の装置構成図である。図２３に示すように、プロファイル発行装置９００は、プロファイル部品データベース１１０、プロファイル部品パスデータベース１２０、プロファイルデータベース１３０、プロファイル部品テンプレートデータベース２１０、プロファイル部品パステンプレートデータベース２２０、プロファイルテンプレートデータベース２３０、プロファイル操作部９０１、およびデータベース管理部２５０によって構成される。また、プロファイル操作部９０１は、プロファイル部品パス生成手段２４０、プロファイル部品パステンプレート生成手段２４１、プロファイルテンプレート生成手段２４２、および発行手段９６０を有している。
【０２０４】
なお、本発明の第９の実施の形態に係るプロファイル発行装置を構成する構成要素のうち、本発明の第２の実施の形態に係るプロファイル発行装置を構成する構成要素と同一の構成要素には同一の符号を付し、それぞれの説明を省略する。プロファイル発行装置９００を構成するプロファイル操作部９０１等は、ＣＰＵによって処理されるプログラムのモジュールを利用して実現されてもよい。
【０２０５】
また、この実施の形態では、プロファイル部品には該プロファイル部品が更新されてもこれを一意に示すプロファイル部品識別子が含まれ、プロファイル部品パスには該プロファイル部品パスが更新されてもこれを一意に示すプロファイル部品パス識別子が含まれ、プロファイルには該プロファイルが更新されてもこれを一意に示すプロファイル部品パス識別子が含まれる。これら識別子は、プロファイル部品、プロファイル部品パス、プロファイルが更新されても不変である。以下、各識別子を適宜ＩＤと略す。
【０２０６】
一方、図２４は、本発明の第９の実施の形態に係る通信端末の装置構成図である。通信端末９９０は、図示しないＣＰＵ、メモリ、キーボード等の入力器、およびディスプレイ等を有しており、携帯電話やパソコンでもよく、また、図２４に示すように、プロファイル格納手段９９１と、プロファイル編集手段９９２と、履歴管理手段９９３と、プロファイル更新手段９９４と、接続手段９９５とを備えて構成される。
【０２０７】
プロファイル格納手段９９１は、例えば、プロファイル発行装置９００が発行したプロファイルを格納するためのものであり、プロファイル編集手段９９２は、ユーザの入力に応じてプロファイル格納手段９９１に格納されたプロファイルを構成する情報の編集を行うようになっている。
【０２０８】
また、履歴管理手段９９３は、プロファイル編集手段９９２が行った編集の履歴を管理するためのものであり、プロファイル更新手段９９４は、ユーザの指示に応じてプロファイル格納手段９９１に格納されたプロファイルを更新するようになっている。接続手段９９５は、プロファイルを用いてユーザが所望するネットワークと接続するようになっている。
【０２０９】
なお、プロファイル格納手段９９１、プロファイル編集手段９９２、履歴管理手段９９３、プロファイル更新手段９９４、接続手段９９５等は、ＣＰＵによって処理されるプログラムのモジュールを利用して実現されてもよい。
【０２１０】
以上のように構成された本発明の第９の実施の形態に係るプロファイル発行装置および通信端末の動作について、図面を参照して説明する。本発明の第９の実施の形態に係るプロファイル発行装置の動作について説明するための図を図２５に示す。
【０２１１】
履歴管理手段９９３は、ユーザがプロファイル編集手段９９２を介してプロファイルを編集したときの編集の履歴を差分情報として管理している。例えば、差分情報は、図２５（ａ）に示すように、前回のプロファイルを構成するプロファイル部品を編集した場合の編集内容や、プロファイル部品パスの優先順位を編集した場合の編集内容である。前回のプロファイルのプロファイル部品を編集し、その後プロファイルを更新した場合、今回のプロファイルに同一識別子のプロファイル部品が存在すれば、その編集内容が反映される（この例では、プロファイル部品（ａ，ｂ，ｄ，ｅ，ｆ，ｇ）に差分情報が適用される。  例えば、プロファイル発行装置９００が発行したプロファイル部品パスに、優先順位が割当てられているとする。図２５（ｂ）に示すように、前回の状態では、プロファイル部品パス９１１の優先順位が最も高く、次にプロファイル部品パス９１２、プロファイル部品パス９１３の順で優先順位が低くなる。なお、接続手段９９５は、この優先順位に従って所望のネットワークと接続する。
【０２１２】
ここで、ユーザは、プロファイル編集手段９９２を介して優先順位を変更し、プロファイル部品パス９１３の優先順位が最も高く、次にプロファイル部品パス９１２、プロファイル部品パス９１１の順で優先順位を低く編集したとする。履歴管理手段９９３は、プロファイル編集手段９９２が行った編集の履歴を、各プロファイル部品パスのＩＤと優先順位が対応した差分情報として管理する。
【０２１３】
その後、プロファイル発行装置９００が、編集前のプロファイル部品パスを更新したプロファイルを発行すると、プロファイル更新手段９９４は、プロファイル格納手段９９１に格納されたプロファイルを、発行されたプロファイルに更新し、プロファイルを構成する各プロファイル部品パスが更新される。なお、プロファイル部品パス９１１、プロファイル部品パス９１２、プロファイル部品パス９１３やそれぞれを構成する情報ａ〜情報ｎのうち何れか１つ以上が更新されている。
【０２１４】
プロファイル更新手段９９４によってプロファイルが更新されたとき、プロファイル編集手段９９２は、履歴管理手段９９３が管理する差分情報に基づいて、プロファイル部品パスのＩＤと対応する優先順位に並び替えて再編集する。
【０２１５】
以上説明したように、本発明の第９の実施の形態に係るプロファイル発行装置は、プロファイル部品パスに該プロファイル部品パスが更新されてもこれを一意に示すプロファイル部品パス識別子が含まれることで、このプロファイル部品パスを含むプロファイルが発行され編集されたあとになってから、編集前のプロファイル部品パスを更新したプロファイルが新たに発行されたとしても、当該発行されたプロファイルのプロファイル部品パスに含まれるプロファイル部品パス識別子と同じプロファイル部品パス識別子を含むプロファイル部品パスの編集内容を編集前のプロファイル部品パスに反映させればよいので、編集前のプロファイル部品パスに再度編集を行う必要がなくなる。
【０２１６】
なお、同様に、プロファイル部品に該プロファイル部品が更新されてもこれを一意に示すプロファイル部品識別子を含ませることで、このプロファイル部品を含むプロファイルが発行され編集されたあとになってから、編集前のプロファイル部品を更新したプロファイルが新たに発行されたとしても、当該発行されたプロファイルのプロファイル部品に含まれるプロファイル部品識別子と同じプロファイル部品識別子を含むプロファイル部品の編集内容を編集前のプロファイル部品に反映させればよいので、編集前のプロファイル部品に再度編集を行う必要がなくなる。
【０２１７】
なお、さらに詳細な識別子による管理を行ってもよい。例えば、図２６に示すように、プロファイル発行装置９００が、プロファイルを構成するプロファイル部品内の設定情報を項目とし、この項目にＩＤを割当てる。項目１から項目ｎに対応する情報９２１を履歴管理手段９９３等が前回の状態として管理する。
【０２１８】
ここで、ユーザは、プロファイル編集手段９９２を介して項目５および項目６に対応する情報を編集したとする。履歴管理手段９９３は、プロファイル編集手段９９２が行った編集の履歴、すなわち、変更した項目５および項目６のＩＤに対応する情報９２２を差分情報として管理する。
【０２１９】
その後、プロファイル発行装置９００が、更新したプロファイルを発行すると、プロファイル更新手段９９４は、プロファイル格納手段９９１に格納されたプロファイルを、発行されたプロファイルに更新し、プロファイルを構成する情報９２１が更新される。このとき、更新されたプロファイルを構成する項目のＩＤは、前回と不変である。
【０２２０】
プロファイル更新手段９９４によってプロファイルが更新されたとき、プロファイル編集手段９９２は、履歴管理手段９９３が管理する差分情報に基づいて、項目５および項目６のＩＤに対応する情報９９２を反映して再編集し、項目１から項目ｎに対応する新たな情報９２３を作成する。
【０２２１】
また、同様に、プロファイルに該プロファイルが更新されてもこれを一意に示すプロファイル識別子を含ませることで、このプロファイルが発行され編集されたあとになってから、編集前のプロファイルが更新され新たに発行されたとしても、当該発行されたプロファイルに含まれるプロファイル識別子と同じプロファイル識別子を含むプロファイルの編集内容を編集前のプロファイルに反映させればよいので、編集前のプロファイルに再度編集を行う必要がなくなる。
【０２２２】
つまり、発行したプロファイルを構成する情報は、ユーザによって変更されている場合があり、本発明の第９の実施の形態に係る通信端末は、ユーザがプロファイルを構成する情報を編集しても、プロファイル発行装置が発行したプロファイルに更新するときに、編集の履歴に基づいて再編集するため、プロファイルの更新の際ユーザが再度編集を行うことなく、ユーザの利便性向上を図ることができる。
【０２２３】
以上のように、本発明の実施の形態に係るプロファイル発行装置および通信端末は、ネットワーク管理者にかかるプロファイル作成業務の負担を低減することができるという効果を有し、本プロファイル発行装置は、ネットワークに接続するためのプロファイルを発行するプロファイル発行装置等として有用である。
【０２２４】
なお、プロファイル発行装置や通信端末としてコンピュータを機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【０２２５】
また、各実施の形態における特徴的な処理を他の実施の形態において実施してもよい。
【図面の簡単な説明】
【０２２６】
【図１】本発明の第１の実施の形態に係るプロファイル発行装置の装置構成図。
【図２】本発明の実施の形態に係るプロファイル発行装置が扱う接続情報に関する構造の一例を示す図。
【図３】各プロファイル部品と対応するネットワークの構成の一例を示す図。
【図４】本発明の第１の実施の形態に係るプロファイル発行装置の動作を示すフローチャート。
【図５】本発明の第１の実施の形態に係るプロファイルの一例を示す図。
【図６】本発明の第２の実施の形態に係るプロファイル発行装置の装置構成図。
【図７】本発明の実施の形態に係るプロファイル発行装置が扱うプロファイルテンプレートに関する構造の一例を示す図。
【図８】本発明の第２の実施の形態の実施例を実施例Ａに係るプロファイル発行装置の動作について説明するための図。
【図９】本発明の第２の実施の形態の実施例を実施例Ｂに係るプロファイル発行装置の動作について説明するための図。
【図１０】本発明の第２の実施の形態の実施例を実施例Ｃに係るプロファイル発行装置の動作について説明するための図。
【図１１】本発明の第３の実施の形態に係るプロファイル発行装置の装置構成図。
【図１２】本発明の第３の実施の形態に係るプロファイル発行装置の動作について説明するための図。
【図１３】本発明の第４の実施の形態に係るプロファイル発行装置の装置構成図。
【図１４】本発明の第４の実施の形態に係るプロファイル発行装置の動作について説明するための図。
【図１５】本発明の第５の実施の形態に係るプロファイル発行装置の装置構成図。
【図１６】本発明の第５の実施の形態に係るプロファイル発行装置の動作について説明するための図。
【図１７】本発明の第６の実施の形態に係るプロファイル発行装置の装置構成図。
【図１８】本発明の第６の実施の形態に係るプロファイル発行装置の動作について説明するための図。
【図１９】本発明の第７の実施の形態に係るプロファイル発行装置の装置構成図。
【図２０】本発明の第７の実施の形態に係るプロファイル発行装置の動作について説明するための図。
【図２１】本発明の第８の実施の形態に係るプロファイル発行装置の装置構成図。
【図２２】本発明の第８の実施の形態に係るプロファイル発行装置の動作について説明するための図。
【図２３】本発明の第９の実施の形態に係るプロファイル発行装置の装置構成図。
【図２４】本発明の第９の実施の形態に係る通信端末の装置構成図。
【図２５】本発明の第９の実施の形態に係るプロファイル発行装置の動作について説明するための図。
【図２６】本発明の第９の実施の形態に係るプロファイル発行装置の動作について詳細に説明するための図。
【符号の説明】
【０２２７】
５  プロファイル部品パス
６  プロファイル
９、１１、１２、２１、３１、４１、５１、６１、６９、７１、８１、８２、９１、９２  通信機器
１０、２０、３０、４０、５０、６０、７０、８０、９０  ネットワーク
１００、２００、３００、４００、５００、６００。７００。８００、９００  プロファイル発行装置
１０１、２０１、３０１、７０１、９０１  プロファイル操作部
１１０  プロファイル部品データベース
１２０  プロファイル部品パスデータベース
１３０  プロファイルデータベース
１４０、２４０、３４０  プロファイル部品パス生成手段
１５０、２５０、５５０  データベース管理部（検索手段）
１６０、２６０、７６０、９６０  発行手段
２１０  プロファイル部品テンプレートデータベース
２２０  プロファイル部品パステンプレートデータベース
２３０  プロファイルテンプレートデータベース
２４１  プロファイル部品パステンプレート生成手段
２４２  プロファイルテンプレート生成手段
３７０  表示手段
３７１  順序関係情報
３７２、３７３、３７４  操作画面
４７０  編集属性設定手段
４７１  ユーザによって決定されるユーザ情報
４７２  共通情報
５７０  プール情報格納手段
６７０  通信手段
６８０、８８０  通信登録手段
７７０  一覧表示手段
７７１  一覧
７７２  所属情報
７７３、７７４  利用権限情報
９９０  通信端末
９９１  プロファイル格納手段
９９２  プロファイル編集手段
９９３  履歴管理手段
９９４  プロファイル更新手段
９９５  接続手段
９１１、９１２、９１３  プロファイル部品パス
【図１】
2006243801.tif 000003
【図２】
2006243801.tif 000004
【図３】
2006243801.tif 000005
【図４】
2006243801.tif 000006
【図５】
2006243801.tif 000007
【図６】
2006243801.tif 000008
【図７】
2006243801.tif 000009
【図８】
2006243801.tif 000010
【図９】
2006243801.tif 000011
【図１０】
2006243801.tif 000012
【図１１】
2006243801.tif 000013
【図１２】
2006243801.tif 000014
【図１３】
2006243801.tif 000015
【図１４】
2006243801.tif 000016
【図１５】
2006243801.tif 000017
【図１６】
2006243801.tif 000018
【図１７】
2006243801.tif 000019
【図１８】
2006243801.tif 000020
【図１９】
2006243801.tif 000021
【図２０】
2006243801.tif 000022
【図２１】
2006243801.tif 000023
【図２２】
2006243801.tif 000024
【図２３】
2006243801.tif 000025
【図２４】
2006243801.tif 000026
【図２５】
2006243801.tif 000027
【図２６】
2006243801.tif 000028